(57)【要約】      （修正有）【課題】企業の秘匿性を保ち、提供する懸賞となる製品ニーズも収集でき、かつアンケートのみを実施したい企業や懸賞を用意することができない企業でも容易に利用することができること。【解決手段】ユーザ情報を登録するユーザ情報登録部８Ｅと、登録されたユーザが応募できる懸賞情報を受け付ける懸賞商品情報登録受付部１０Ｅと、懸賞商品情報登録受付部１０Ｅで登録を行う際に、上記懸賞情報と組み合わせ可能なアンケート情報を表示させると共に、表示させたアンケート情報の中から特定のアンケート情報を選択させる懸賞応募用アンケート選択部（制御部７Ｅ）と、懸賞の応募対象となるユーザが制限される場合に、上記懸賞応募用アンケート選択部（制御部７Ｅ）で選択された上記アンケートを登録したユーザに対して当該懸賞情報と組み合わせる旨の承諾を求める承諾部（制御部７Ｅ）を備える情報管理装置２Ｅとする。【選択図】図２
2010186454.tif 000002
【特許請求の範囲】
【請求項１】
所定のユーザ情報を登録するユーザ情報登録部と、
上記ユーザ情報登録部により登録されたユーザが応募できる懸賞の提供情報を受け付ける懸賞商品情報登録受付部と、
上記懸賞商品情報登録受付部で登録を行う際に、上記懸賞商品の提供情報と組み合わせ可能なアンケート情報を表示させると共に、表示させたアンケート情報の中から特定のアンケート情報を選択させる懸賞応募用アンケート選択部と、
上記懸賞商品情報登録受付部で受け付けた懸賞の応募対象となるユーザが制限される場合に、上記懸賞応募用アンケート選択部で選択された上記アンケートを登録したユーザに対して当該懸賞の提供情報と組み合わせる旨の承諾を求める承諾部と、
を備えることを特徴とする情報管理装置。
【請求項２】
請求項１に記載の情報管理装置であって、
前記承諾部は、前記懸賞応募用アンケート選択部で選択された前記アンケートを登録したユーザから承諾する旨の通知を受信した場合には、前記懸賞の提供情報と前記アンケートとを組み合わせることを特徴とする情報管理装置。
【請求項３】
請求項１または２に記載の情報管理装置であって、
前記承諾部は、前記懸賞応募用アンケート選択部で選択された前記アンケートを登録したユーザから承諾しない旨の通知を受信した場合には、前記懸賞商品情報登録受付部で前記懸賞の提供情報を登録したユーザに対して、新たに選択可能なアンケート情報を提示することを特徴とする情報管理装置。
【請求項４】
請求項１から３のいずれか1項に記載の情報管理装置であって、
前記承諾部により前記アンケートと前記懸賞の提供情報とを組み合わせの承諾が得られた場合に前記アンケートおよび／または前記懸賞の提供情報を出力する出力部と、
上記出力部により出力された前記アンケートへの回答を受信することにより、前記懸賞商品に応募してきたユーザを当該懸賞に応募させる懸賞応募受付部と、
上記懸賞応募受付部で応募したユーザ情報を、前記懸賞の提供情報を登録した懸賞商品情報登録ユーザへ送信する懸賞応募情報送信部と、
を備えることを特徴とする情報管理装置。
【請求項５】
請求項４に記載の情報管理装置であって、
前記懸賞応募情報送信部は、
前記ユーザ情報の一部を抽出して提供することを特徴とする情報管理装置。
【請求項６】
所定のユーザ情報を登録するユーザ登録ステップと、
上記ユーザ登録ステップにより登録されたユーザが応募できる懸賞の提供情報を受け付ける懸賞商品情報登録受付ステップと、
上記懸賞商品情報登録受付ステップで登録を行う際に、上記懸賞商品の提供情報と組み合わせ可能なアンケート情報を表示させると共に、表示させたアンケート情報の中から特定のアンケート情報を選択させる懸賞応募用アンケート選択ステップと、
上記懸賞商品情報登録受付ステップで受け付けた懸賞の応募対象となるユーザが制限される場合に、上記懸賞応募用アンケート選択ステップで選択された上記アンケートを登録したユーザに対して当該懸賞の提供情報と組み合わせる旨の承諾を求める承諾ステップと、
を有することを特徴とする情報管理方法。
【請求項７】
所定のユーザ情報を登録するユーザ情報登録部と、
上記ユーザ情報登録部により登録されたユーザが応募できる懸賞の提供情報を受け付ける懸賞商品情報登録受付部と、
上記懸賞商品情報登録受付部で登録を行う際に、上記懸賞商品の提供情報と組み合わせ可能なアンケート情報を表示させると共に、表示させたアンケート情報の中から特定のアンケート情報を選択させる懸賞応募用アンケート選択部と、
上記懸賞商品情報登録受付部で受け付けた懸賞の応募対象となるユーザが制限される場合に、上記懸賞応募用アンケート選択部で選択された上記アンケートを登録したユーザに対して当該懸賞の提供情報と組み合わせる旨の承諾を求める承諾部と、
を備えることを特徴とする情報管理システム。
【発明の詳細な説明】
【技術分野】
【０００１】
本発明は、情報管理装置、情報管理方法、情報管理システムに関する。
【背景技術】
【０００２】
特許文献１は、アンケート実施企業に対して、ユーザの秘匿性を保ったまま、懸賞へ応募することができる懸賞受付システムを開示している。この懸賞受付システムでは、当該システム内でユーザの個人情報を保持すると共に、懸賞への応募処理および抽選処理などを行うことで、アンケート実施企業に対して、ユーザの個人情報をすべて開示することなく、ユーザの秘匿性を保ったままで懸賞への応募を可能としている。
【先行技術文献】
【特許文献】
【０００３】
【特許文献１】特開２００３−４４６２４号公報（段落０００５など）
【発明の概要】
【発明が解決しようとする課題】
【０００４】
特許文献１に開示される懸賞受付システムでは、アンケートを実施する際に、アンケート実施企業のホームページへのアクセス数を増やすために、当該アンケート実施企業の企業宣伝ページに必ずアクセスする仕組みになっている。しかしながら、このような仕組みでは、どの企業がどのような情報を収集したいのか隠したままアンケートを実施することができない。つまり、当該懸賞受付システムでは、企業の秘匿性を保つことができない。
【０００５】
また、特許文献１に開示される懸賞受付システムにおける懸賞は、アンケートに答えてもらうためのプレゼントとしての役割しか果たしていない。つまり、当該懸賞受付システムでは、懸賞としての製品がたとえば新たに投入する予定の製品である場合に、企業のブランドイメージの影響を受けずに、当該製品に対するニーズや興味を調査することができない。
【０００６】
また、特許文献１に開示される懸賞受付システムでは、懸賞を提供するスポンサーである企業と、アンケートを実施する企業とが同一であることが前提とされている。そのため、たとえばアンケートの項目数に相応しい懸賞を用意することができない企業や、早急にアンケートを取りたいが、懸賞が自社で用意することができない企業の場合には、当該懸賞受付システムを容易に利用することができない。
【０００７】
そこで、本発明は、上述した課題に鑑み、企業の秘匿性を保ち、提供する懸賞となる製品ニーズも収集でき、かつアンケートのみを実施したい企業や懸賞を用意することができない企業でも容易に利用することができる情報管理装置、情報管理方法、情報管理システムを提供することを目的とする。
【課題を解決するための手段】
【０００８】
本発明の一側面である情報管理装置は、所定のユーザ情報を登録するユーザ情報登録部と、ユーザ情報登録部により登録されたユーザが応募できる懸賞の提供情報を受け付ける懸賞商品情報登録受付部と、懸賞商品情報登録受付部で登録を行う際に、懸賞商品の提供情報と組み合わせ可能なアンケート情報を表示させると共に、表示させたアンケート情報の中から特定のアンケート情報を選択させる懸賞応募用アンケート選択部と、懸賞商品情報登録受付部で受け付けた懸賞の応募対象となるユーザが制限される場合に、懸賞応募用アンケート選択部で選択されたアンケートを登録したユーザに対して当該懸賞の提供情報と組み合わせる旨の承諾を求める承諾部と、を備えるものである。
【０００９】
また、本発明の一側面である情報管理装置または情報管理システムは、上述した構成に加えて、承諾部は、懸賞応募用アンケート選択部で選択されたアンケートを登録したユーザから承諾する旨の通知を受信した場合には、懸賞の提供情報とアンケートとを組み合わせることが好ましい。
【００１０】
また、本発明の一側面である情報管理装置または情報管理システムは、上述した構成に加えて、承諾部は、懸賞応募用アンケート選択部で選択されたアンケートを登録したユーザから承諾しない旨の通知を受信した場合には、懸賞商品情報登録受付部で懸賞の提供情報を登録したユーザに対して、新たに選択可能なアンケート情報を提示することが好ましい。
【００１１】
また、本発明の一側面である情報管理装置または情報管理システムは、上述した構成に加えて、承諾部によりアンケートと懸賞の提供情報とを組み合わせの承諾が得られた場合にアンケートおよび／または懸賞の提供情報を出力する出力部と、出力部により出力されたアンケートへの回答を受信することにより、懸賞商品に応募してきたユーザを当該懸賞に応募させる懸賞応募受付部と、懸賞応募受付部で応募したユーザ情報を、懸賞の提供情報を登録した懸賞商品情報登録ユーザへ送信する懸賞応募情報送信部と、を備えることが好ましい。
【００１２】
また、本発明の一側面である情報管理装置または情報管理システムは、上述した構成に加えて、懸賞応募情報送信部は、ユーザ情報の一部を抽出して提供することが好ましい。
【００１３】
また、本発明の一側面である情報管理方法は、所定のユーザ情報を登録するユーザ登録ステップと、ユーザ登録ステップにより登録されたユーザが応募できる懸賞の提供情報を受け付ける懸賞商品情報登録受付ステップと、懸賞商品情報登録受付ステップで登録を行う際に、懸賞商品の提供情報と組み合わせ可能なアンケート情報を表示させると共に、表示させたアンケート情報の中から特定のアンケート情報を選択させる懸賞応募用アンケート選択ステップと、懸賞商品情報登録受付ステップで受け付けた懸賞の応募対象となるユーザが制限される場合に、懸賞応募用アンケート選択ステップで選択されたアンケートを登録したユーザに対して当該懸賞の提供情報と組み合わせる旨の承諾を求める承諾ステップと、を有するものである。
【００１４】
また、本発明の一側面である情報管理システムは、所定のユーザ情報を登録するユーザ情報登録部と、ユーザ情報登録部により登録されたユーザが応募できる懸賞の提供情報を受け付ける懸賞商品情報登録受付部と、懸賞商品情報登録受付部で登録を行う際に、懸賞商品の提供情報と組み合わせ可能なアンケート情報を表示させると共に、表示させたアンケート情報の中から特定のアンケート情報を選択させる懸賞応募用アンケート選択部と、懸賞商品情報登録受付部で受け付けた懸賞の応募対象となるユーザが制限される場合に、懸賞応募用アンケート選択部で選択されたアンケートを登録したユーザに対して当該懸賞の提供情報と組み合わせる旨の承諾を求める承諾部と、を備えるものである。
【発明の効果】
【００１５】
本発明によれば、企業の秘匿性を保ち、提供する懸賞となる製品ニーズも収集でき、かつアンケートのみを実施したい企業や懸賞を用意することができない企業でも容易に利用することができる情報管理装置、情報管理方法、情報管理システムを提供することができる。
【図面の簡単な説明】
【００１６】
【図１】本発明の第１実施形態に係る情報管理システムの概要構成を示す図である。
【図２】図１に示す情報管理サーバの構成例を示す図である。
【図３】図１に示す懸賞商品情報提供側端末の構成例を示す図である。
【図４】図１に示すアンケート提供側端末の構成例を示す図である。
【図５】図１に示す懸賞応募者側端末の構成例を示す図である。
【図６】図１に示す情報管理サーバが行うユーザ登録受付処理を示すフローチャートである。
【図７】図６のステップＳ１の処理により表示されるユーザ登録受付画面例を示す図である。
【図８】図１に示す情報管理サーバが行う懸賞情報登録受付処理を示すフローチャートである。
【図９】図８のステップＳ１１の処理により表示される懸賞情報登録受付画面例を示す図である。
【図１０】図８のステップＳ１５の処理により表示される画面例を示す図である。
【図１１】図８のステップＳ２３の処理により表示される解析情報表示例を示す図である。
【図１２】図１に示す情報管理サーバとアンケート提供側端末の間で行うアンケート登録受付処理、出力処理、アンケート回答内容解析処理、解析情報送信処理を示すフローチャートである。
【図１３】図１２のステップＳ２１で示されるアンケート登録受付画面例を示す図である。
【図１４】図１２のステップＳ３９の処理により表示される解析情報の表示例を示す図である。
【図１５】図１に示す情報管理サーバと懸賞応募側端末との間で行う懸賞応募受付処理を示すフローチャートである。
【図１６】図１に示す情報管理サーバと懸賞応募側端末との間で行う抽選処理を示すフローチャートである。
【図１７】図１に示す懸賞応募者側端末がＰＣの場合の画面表示例である。
【図１８】図１に示す懸賞応募者側端末が携帯電話の場合の画面表示例である。
【図１９】図１に示す懸賞応募者側端末がテレビの場合の画面表示例である。
【図２０】図１に示す懸賞応募者側端末がラジオの場合の画面表示例である。
【図２１】図１に示す懸賞応募者側端末がゲーム機である場合の場合の画面表示例である。
【図２２】図１に示す懸賞応募者側端末がゲーム機である場合の場合の画面表示例である。
【図２３】図１に示す情報管理システムの変形例を示す図である。
【図２４】図２３に示す放送局が備える放送送信装置の構成を示す図である。
【図２５】図２３に示す放送局が備える放送局サーバの構成を示す図である。
【図２６】図２３に示す受信機の構成を示す図である。
【図２７】図２３に示す放送局と受信機が行う処理のフローチャートである。
【図２８】本発明の第２実施形態に係る情報管理サーバと懸賞商品情報提供側端末とが行う懸賞情報登録受付処理のフローチャートである。
【図２９】本発明の第２実施形態に係る情報管理サーバと懸賞商品情報提供側端末とが行う他の懸賞情報登録受付処理のフローチャートである。
【図３０】本発明の第３実施形態に係る情報管理サーバとアンケート提供側端末とが行うアンケート情報登録受付処理のフローチャートである。
【図３１】図３０のステップＳ１２２で表示される懸賞情報選択リスト画面例を示す図である。
【図３２】本発明の第４実施形態に係る懸賞商品情報提供側端末とアンケート提供側端末とが情報管理サーバを介して行う承諾処理のフローチャートである。
【図３３】本発明の第５実施形態に係る懸賞商品情報提供側端末とアンケート提供側端末とが情報管理サーバを介して行う承諾処理のフローチャートである。
【図３４】本発明の第６実施形態に係る情報管理サーバが行うマッチング処理のフローチャートである。
【図３５】図３４のステップＳ１６６で表示される懸賞情報登録受付画面例である。
【図３６】図３４のステップＳ１７２に示すアンケート情報登録受付画面例である。
【図３７】図３４のステップＳ１８０の判定処理で双方の了解が得られなかった場合に行う処理のフローチャートである。
【発明を実施するための形態】
【００１７】
以下、本発明の実施形態について説明する。なお、以下の順に沿って説明していく。
１．情報管理システム（実施例１）の全体構成
１−１．各部の説明
１−１−１．情報管理サーバの構成
１−１−２．懸賞商品情報提供側端末の構成
１−１−３．アンケート提供側端末の構成
１−１−４．懸賞応募側端末の構成
１−２．情報管理サーバと各端末間の処理
１−２−１．ユーザ登録受付処理
１−２−２．懸賞情報登録受付処理、出力処理、応募結果解析処理、解析結果送信処理
１−２−３．アンケート登録受付処理、出力処理、アンケート回答内容解析処理、解析情報送信処理
１−２−４．懸賞応募受付処理
１−２−５．抽選処理
１−３．懸賞応募側端末の画面表示例
１−３−１．懸賞応募側端末がＰＣの場合の画面表示例
１−３−２．懸賞応募側端末が携帯電話の場合の画面表示例
１−３−３．懸賞応募側端末がテレビの場合の画面表示例
１−３−４．懸賞応募側端末がラジオの場合の画面表示例
１−３−５．懸賞応募側端末がゲーム機である場合の場合の画面表示例
１−４．実施例１の変形例
１−４−１．実施例１の変形例の構成
１−４−１−１．放送送信装置の説明
１−４−１−２．放送局サーバの説明
１−４−１−３．受信機の説明
１−４−２．懸賞情報配信処理および懸賞応募受付処理
２．情報管理システム（実施例２）の全体構成
２−１．懸賞情報登録受付処理、出力処理、解析情報送信処理
２−２．懸賞情報登録受付処理の変形例
３．情報管理システム（実施例３）の全体構成
３−１．アンケート情報登録受付処理
４．情報管理システム（実施例４）の全体構成
４−１．アンケート登録受付処理
５．情報管理システム（実施例５）の全体構成
５−１．懸賞情報登録受付処理
６．情報管理システム（実施例６）の全体構成
６−１．マッチング処理
７．他の実施形態
【実施例１】
【００１８】
１．情報管理システム１Ａの全体構成
図１は、本発明の第１実施形態に係る情報管理システム１Ａの概要構成を示す図である。図１に示すように、情報管理システム１Ａには、情報管理サーバ２Ａ、懸賞商品情報提供側端末３Ａ、アンケート提供側端末４Ａ、懸賞応募側端末５Ａを主要な構成要素とし、それぞれがネットワーク６Ａを介して双方向通信を可能としている。なお、以下、情報管理システム１Ａで言うユーザとは、情報管理システム１Ａを利用することができる者すべてを指している。すなわち、情報管理システム１Ａでは、懸賞として商品等を提供しようとする者が懸賞商品情報提供側端末３Ａを使用して情報管理サーバ２Ａに接続する場合や、アンケートを提供しようとする者がアンケート提供側端末４Ａを使用して情報管理サーバ２Ａに接続する場合や、懸賞に応募しようとする者が懸賞応募側端末５Ａを使用して情報管理サーバ２Ａに接続する場合において、情報管理サーバ２Ａに登録されている正当なユーザである必要がある。
【００１９】
１−１．各部の説明
１−１−１．情報管理サーバの構成
まず、情報管理サーバ２Ａの概要について説明する。情報管理サーバ２Ａは、情報管理システム１Ａのユーザの個人情報等を管理する機能、情報管理システム１Ａを利用して懸賞を提供する企業に対して、懸賞情報の登録を受け付ける機能、情報管理システム１Ａを利用してアンケートを収集したい企業に対して、アンケートの登録を受け付ける機能、情報管理システム１Ａを利用して懸賞に応募したい者に対して、懸賞の応募を受け付ける機能などを有している。また、情報管理サーバ２Ａは、懸賞情報を提供する者が使用する懸賞商品情報提供側端末３Ａやアンケートを提供する者が使用するアンケート提供側端末４Ａに対して、懸賞応募側端末５Ａを使用して懸賞に応募した者のユーザ情報の一部または全部を提供する。なお、ユーザ情報の一部としては、住所、氏名などを除いた、個人を特定するまでには至らない情報であり、たとえば、年齢、性別、住居エリア、年収といったものが該当する。
【００２０】
図２は、図１に示す情報管理サーバ２Ａの構成例を示す図である。図２に示すように、情報管理サーバ２Ａは、制御部７Ａ、ユーザ情報登録部８Ａ、ユーザ認証部９Ａ、懸賞情報登録受付部１０Ａ、アンケート情報登録受付部１１Ａ、応募用アンケート決定部１２Ａ、懸賞応募受付部１３Ａ、懸賞抽選部１４Ａ、通信制御部１５Ａ、記憶部１６Ａ、ユーザ情報ＤＢ（Ｄａｔａ  Ｂａｓｅ）１７Ａ、懸賞商品情報ＤＢ１８Ａ、アンケート情報ＤＢ１９Ａ、アプリケーションプログラム群２０Ａ、ＯＳ（オペレーティングシステム：Ｏｐｅｒａｔｉｎｇ  Ｓｙｓｔｅｍ）２１Ａ、入力部２２Ａ、出力部２３Ａとを備えているＷｅｂベースのアプリケーションサーバである。なお、制御部７Ａは、懸賞応募受付部１３Ａで応募したユーザのユーザ情報を、懸賞商品情報登録受付部１０Ａに対して懸賞商品の提供情報を送信したユーザへ送信する懸賞応募情報送信部としても機能する。
【００２１】
また、情報管理サーバ２Ａのハードウェア構成は、図示しないＣＰＵ（Ｃｅｎｔｒａｌ  Ｐｒｏｃｅｓｓｉｎｇ  Ｕｎｉｔ）、ＨＤＤ（Ｈａｒｄ  Ｄｉｓｋ  Ｄｒｉｖｅ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ネットワークインタフェース、システムバスなどから構成される。そして、制御部７ＡとしてのＣＰＵが、記憶部１６ＡとしてのＨＤＤやＲＯＭなどのハードウェア資源に記憶されたＯＳ２１Ａ，各種のアプリケーションプログラム群２０ＡをＲＡＭに読み出して協働して実行すると共に、通信制御部１５Ａおよび出力部２３Ａとしてのネットワークインタフェースおよび外部のネットワーク６Ａを介して各端末と双方向通信を行うことにより上述した各部の機能を実現することができる。
【００２２】
すなわち、以下に説明するユーザ情報登録部８Ａ、ユーザ認証部９Ａ、懸賞情報登録受付部１０Ａ、アンケート情報登録受付部１１Ａ、応募用アンケート決定部１２Ａ、懸賞応募受付部１３Ａ、懸賞抽選部１４Ａ、ユーザ情報ＤＢ１７Ａ、懸賞商品情報ＤＢ１８Ａ、アンケート情報ＤＢ１９Ａ、アプリケーションプログラム群２０Ａは、接続してきたユーザの端末側のディスプレイに所定の画面を表示させるＷｅｂベースのユーザインターフェイス、当該ユーザが入力した事項を受信して所定の処理を行うＷｅｂベースのアプリケーションプログラム、データベースなどを構築することによりそれぞれ実現することができる。
【００２３】
ユーザ情報登録部８Ａは、ネットワーク６Ａを介して情報管理サーバ２Ａに接続してきたユーザが登録されていない場合に所定の入力事項を求めて、情報管理システム１Ａのユーザとして新たに登録することができる機能を有している。具体的には、ユーザ情報登録部８Ａは、接続してきたユーザの懸賞商品情報提供側端末３Ａ、アンケート提供側端末４Ａまたは懸賞応募側端末５Ａ側のディスプレイにユーザ登録画面を表示し、所定の事項を入力させて、入力された事項を記憶部１６Ａに記憶されているユーザ情報ＤＢ１７Ａに記憶する処理を行う。
【００２４】
ユーザ認証部９Ａは、ネットワーク６Ａを介して情報管理サーバ２Ａに接続してきたユーザが、情報管理システム１Ａを正当に利用できるユーザであるか否かを判定する機能を有している。具体的には、ユーザ認証部９Ａは、接続してきたユーザの懸賞商品情報提供側端末３Ａ、アンケート提供側端末４Ａまたは懸賞応募側端末５Ａ側のディスプレイにユーザ認証画面を表示させ、当該認証画面に入力された事項（たとえばユーザが入力したユーザＩＤおよびパスワードなど）と、ユーザ情報ＤＢ１７Ａに予め記憶されている事項（当該ユーザＩＤと当該ユーザが予め設定したパスワードなど）とを照合することでユーザ認証処理を行う。なお、ユーザ情報ＤＢ１７Ａは、ユーザ認証サーバとしてのＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバを、情報管理サーバ２Ａとは別に構築して、当該ＬＤＡＰサーバにおいて上述したユーザ情報登録部８Ａおよびユーザ認証部９Ａの各処理を実現するようにしてもよい。
【００２５】
懸賞情報登録受付部１０Ａは、ネットワーク６Ａを介して情報管理サーバ２Ａに接続し、上記ユーザ認証部９Ａにおいて正当なユーザと認証されたユーザ（以下、単に「正当なユーザ」ということがある）が、情報管理システム１Ａを利用して懸賞商品等の提供情報の登録を受け付ける機能を有している。具体的には、懸賞情報登録受付部１０Ａは、接続してきたユーザの端末側のディスプレイに懸賞情報登録受付画面を表示させ、当該登録受付画面で入力された事項（たとえばカーナビゲーション装置３台を懸賞として登録するなど）を記憶部１６Ａに記憶されている懸賞商品情報ＤＢ１８Ａに登録する処理を行う。
【００２６】
アンケート情報登録受付部１１Ａは、ネットワーク６Ａを介して情報管理サーバ２Ａに接続してきた正当なユーザが、アンケートを登録するための機能を有している。具体的には、アンケート情報登録受付部１１Ａは、接続してきた正当なユーザの端末側のディスプレイにアンケート登録受付画面を表示させ、当該登録受付画面で入力された事項（たとえば、「電車で通勤する場合にマスクを付けていますか？」といった質問）をアンケート情報ＤＢ１９Ａに登録する処理を行う。
【００２７】
応募用アンケート決定部１２Ａは、ネットワーク６Ａを介して情報管理サーバ２Ａに接続してきた正当なユーザが、情報管理システム１Ａを利用して懸賞商品等を提供する情報を入力した場合に、当該懸賞商品等を提供する情報と関連付けるアンケート項目を決定する機能を有する。具体的には、応募用アンケート決定部１２Ａは、登録しようとする懸賞に組み合わせるアンケートを、希望ジャンルにしたがって抽出して決定する、または、希望ジャンルがない場合には所定のルールに従って、アンケート情報ＤＢ１９Ａを参照して決定することができる。なお、ここで言う所定のルールとは、たとえば懸賞の応募期間と、アンケート実施期間が略一致する場合や、アンケート実施期間の制限がないものでアンケート情報の登録順の早いものと組み合わせるなどである。なお、懸賞商品情報ＤＢ１８Ａおよびアンケート情報ＤＢ１９Ａは、懸賞商品情報ＤＢ１８Ａ／アンケート情報ＤＢ１９Ａを有するサーバを、情報管理サーバ２Ａとは別に構築して、当該サーバにおいて上述した懸賞情報登録受付部１０Ａ、アンケート情報登録受付部１１Ａおよび応募用アンケート決定部１２Ａの各機能を実現するようにしてもよい。
【００２８】
懸賞応募受付部１３Ａは、ネットワーク６Ａを介して情報管理サーバ２Ａに接続してきた正当なユーザが、懸賞商品等に応募する処理を受け付ける機能を有する。具体的には、懸賞応募受付部１３Ａは、接続してきた正当なユーザの端末側のディスプレイに懸賞応募受付画面を表示させ、懸賞への応募を受け付け、選択された懸賞への応募処理を行う。
【００２９】
懸賞抽選部１４Ａは、懸賞応募受付部１３Ａにより応募したユーザの中から所定のアルゴリズムに従って、当選者を無作為に抽出する機能を有する。具体的には、懸賞抽選部１４Ａは、抽選処理画面を情報管理サーバ１Ａのディスプレイに表示させ、情報管理サーバ１Ａの管理者などが抽選処理の実行を指示すると、抽選処理が行われ、当選したユーザ名が表示される。なお、懸賞抽選部１４Ａは、懸賞商品情報ＤＢ１８Ａおよびアンケート情報ＤＢ１９Ａに登録されている応募期間などを考慮した上で、抽選時刻を適切に設定し、当該時刻となったときに抽選処理を自動的に行うようにしてもよい。また、当選したユーザの個人情報から当該ユーザの連絡先となるメールアドレスを参照して、当選通知メールを自動的に送信するようにしてもよい。
【００３０】
ユーザ情報ＤＢ１７Ａには、ユーザ情報登録部８Ａで受け付けたユーザ情報が少なくとも格納されている。なお、ここでいうユーザ情報とは、たとえば、ユーザＩＤ、個人の氏名、企業名、住所、電話番号などの連絡先、年齢、性別、年収などである。
【００３１】
懸賞商品情報ＤＢ１８Ａには、懸賞情報登録受付部１０Ａで受け付けた懸賞情報が少なくとも格納されている。なお、懸賞商品情報ＤＢ１８Ａでは、当該懸賞情報を提供したユーザ、懸賞情報毎に応募したユーザとの関連付けがユーザ情報ＤＢ１７Ａとの間でなされている。
【００３２】
アンケート情報ＤＢ１９Ａには、アンケート情報登録受付部１１Ａで受け付けたアンケート情報が少なくとも格納されている。なお、アンケート情報ＤＢ１９Ａに格納されているアンケート情報は、当該アンケート情報を提供したユーザと関連付けられている。また、アンケート情報と懸賞情報が組み合わされている場合には、当該懸賞情報との対応付けが懸賞商品情報ＤＢ１８Ａとの間でなされている。
【００３３】
１−１−２．懸賞商品情報提供側端末の構成
続いて、図１に示す懸賞商品情報提供側端末３Ａについて説明する。懸賞商品情報提供側端末３Ａは、懸賞として製品を提供する代わりに、当該製品のニーズを調査したい企業などが使用する端末である。
【００３４】
図３は、図１に示す懸賞商品情報提供側端末３Ａの構成例を示す図である。図３に示すように、懸賞商品情報提供側端末３Ａは、制御部３０Ａ、通信制御部３１Ａ、記憶部３２Ａ、懸賞提供データ３３Ａ、入力部３４Ａ、出力部３５Ａを主要な構成要素としている。なお、記憶部３２Ａに記憶されている懸賞提供データ３３Ａは、たとえばサッカーの試合を観戦できるチケット、液晶ＴＶなどを提供する情報であり、これらの情報は、キーボードなどの入力部３４Ａから入力されることにより生成されるものである。
【００３５】
１−１−３．アンケート提供側端末の構成
続いて、図１に示すアンケート提供側端末４Ａについて説明する。アンケート提供側端末４Ａは、情報管理システム１Ａを利用してアンケートを実施し、アンケート結果についての情報を収集したい企業などが使用する端末である。
【００３６】
図４は、アンケート提供側端末４Ａの構成例を示す図である。図４に示すように、アンケート提供側端末４Ａは、制御部４０Ａ、通信制御部４１Ａ、記憶部４２Ａ、アンケート提供データ４３Ａ、入力部４４Ａ、出力部４５Ａを主要な構成要素としている。なお、記憶部４２Ａに記憶されているアンケート提供データ４３Ａは、たとえば「冬に飲みたいお酒は？」などのアンケートであり、キーボードなどの入力部４４Ａから入力されることにより生成されるものである。
【００３７】
１−１−４．懸賞応募側端末の構成
続いて、図１に示す懸賞応募側端末５Ａについて説明する。懸賞応募側端末５Ａは、情報管理システム１Ａを利用して懸賞に応募したい者が使用する端末である。
【００３８】
図５は、図1に示す懸賞応募側端末５Ａの構成例を示す図である。図５に示すように、懸賞応募側端末５Ａは、制御部５０Ａ、通信制御部５１Ａ、記憶部５２Ａ、懸賞応募要求データ５３Ａ、入力部５４Ａ、出力部５５Ａを主要な構成要素としている。なお、記憶部５２Ａに記憶されている懸賞応募要求データ５３Ａは、たとえば、懸賞応募側端末５Ａのディスプレイに表示される懸賞応募画面に含まれる応募ボタンをマウスなどの入力部５４Ａを操作することにより生成されるものである。
【００３９】
上述した懸賞商品情報提供側端末３Ａ、アンケート提供側端末４Ａ、懸賞応募側端末５Ａのそれぞれのハードウェア構成は、図示しないＣＰＵ、ＨＤＤ、ＲＯＭ、ＲＡＭ、ネットワークインタフェース、システムバスなどから構成される。そして、制御部３０Ａ，４０Ａ、５０ＡとしてのＣＰＵが、記憶部３２Ａ、４２Ａ，５２ＡとしてのＨＤＤやＲＯＭなどのハードウェア資源に記憶されたＯＳ，各種アプリケーションプログラム群をＲＡＭに読み出して協働して実行すると共に、通信制御部３１Ａ，４１Ａ，５１Ａとしてのネットワークインタフェースから外部のネットワーク６Ａを介して情報管理サーバ２Ａと双方向通信を行うことにより上述した各部の機能を実現することができる。また、上述した懸賞商品情報提供側端末３Ａ、アンケート提供側端末４Ａ、懸賞応募側端末５Ａは、たとえばＰＣ、携帯電話、ゲーム機、テレビなどによりそれぞれ構成することができる。なお、これらの懸賞商品情報提供側端末３Ａ、アンケート提供側端末４Ａ、懸賞応募側端末５Ａは、それぞれが専用端末とする必要もなく、他の機能や目的を有した汎用的な端末であってもよい。また、これらの懸賞商品情報提供側端末３Ａ、アンケート提供側端末４Ａ、懸賞応募側端末５Ａは、物理的に同一の端末がそれぞれの機能を有していてもよい。
【００４０】
１−２．情報管理サーバ２Ａと各端末間の処理
続いて、情報管理サーバ２Ａが各端末との間で行う処理についてそれぞれ説明する。情報管理サーバ２Ａは、懸賞商品情報提供側端末３Ａ、アンケート提供側端末４Ａ、懸賞応募側端末５Ａとの間でユーザ登録受付処理を行う。また、情報管理サーバ２Ａは、懸賞商品情報提供側端末３Ａとの間で懸賞情報を受け付けて登録すると共に、当該懸賞の応募情報を解析して当該懸賞商品情報提供側端末３Ａへ送信する処理を行う。また、情報管理サーバ２Ａは、アンケート提供側端末４Ａとの間でアンケートを受け付けて登録すると共に、当該アンケートの回答結果を解析した情報をアンケート提供側端末４Ａへ送信する処理を行う。また、情報管理サーバ２Ａは、懸賞応募側端末５Ａとの間で、懸賞情報／アンケートを出力する処理、懸賞への応募を受け付ける処理、懸賞の抽選処理、抽選結果を送信する処理などを行う。以下、各処理について詳細に説明する。
【００４１】
１−２−１．ユーザ登録受付処理
図６は、図１に示す情報管理サーバ２Ａが懸賞商品情報提供側端末３Ａ，アンケート提供側端末４Ａ、懸賞応募側端末５Ａとのそれぞれの間で行うユーザ登録処理を示すフローチャートである。ユーザ登録受付処理は、情報管理システム１Ａを利用するユーザを登録する処理である。
【００４２】
ＳＴＡＲＴ：情報管理サーバ２Ａの制御部７Ａは、懸賞商品情報提供側端末３Ａの制御部３０Ａ、アンケート提供側端末４Ａの制御部４０Ａ、懸賞応募側端末５Ａの制御部５０Ａいずれかが、情報管理サーバ２Ａのユーザ登録画面を示すＵＲＬ（Ｕｎｉｆｏｒｍ  Ｒｅｓｏｕｒｃｅ  Ｌｏｃａｔｏｒ）へ接続するようにＨＴＴＰ（ＨｙｐｅｒＴｅｘｔ  Ｔｒａｎｓｆｅｒ  Ｐｒｏｔｏｃｏｌ）リクエストをすると、ユーザ登録受付処理を開始する。
【００４３】
ステップＳ１：情報管理サーバ２Ａの制御部７Ａは、接続してきた端末のディスプレイにユーザ登録画面を表示する。図７は、図６のステップＳ１の処理により表示されるユーザ登録受付画面例を示す図である。図７に示すように、ユーザとして登録するために、個人名入力欄、性別選択ボタン、生年月日入力欄などが入力できる画面が表示される。なお、図７は個人の場合のユーザ登録画面例を示したが、情報管理システム１Ａを利用する目的によりユーザ登録時に必要となる入力項目を異なるものとしてもよい。たとえば、懸賞を提供するユーザと、アンケートを提供するユーザと、懸賞へ応募するユーザそれぞれ異なる入力項目があるユーザ登録画面を作成して表示させてもよい。
【００４４】
ステップＳ２：情報管理サーバ２Ａの制御部７Ａは、ステップＳ１で入力されたユーザ登録情報を受信する。
【００４５】
ステップＳ３：情報管理サーバ２Ａの制御部７Ａは、記憶部１６Ａに格納されているユーザ情報ＤＢ１７Ａに受信したユーザ情報を登録する。
【００４６】
ステップＳ４：情報管理サーバ２Ａの制御部７Ａは、ステップＳ３の処理が完了すると、ユーザ登録完了画面を、接続してきた端末のディスプレイに表示して、処理を終了する（ＥＮＤ）。
【００４７】
１−２−２．懸賞商品情報登録受付処理、出力処理、応募結果解析処理、解析結果送信処理
図８は、図１に示す情報管理サーバ２Ａが懸賞商品情報提供側端末３Ａとの間で行う処理であって、懸賞情報を受け付けて登録すると共に、懸賞応募情報を解析して送信する処理のフローチャートである。
【００４８】
ＳＴＡＲＴ：情報管理サーバ２Ａの制御部７Ａは、懸賞情報を募集する旨を懸賞商品情報提供側端末３Ａに対して通知すると、懸賞商品情報登録受付処理を開始する。
【００４９】
ステップＳ１０：懸賞商品情報提供側端末３Ａは、情報管理サーバ２Ａから送信されてきた懸賞商品情報募集通知を受信する。
【００５０】
ステップＳ１１：懸賞商品情報提供側端末３Ａの制御部３０Ａは、情報管理サーバ２Ａの懸賞商品情報登録受付画面を示すＵＲＬへ接続するようにＨＴＴＰリクエスト処理をする。
【００５１】
ステップＳ１２：情報管理サーバ２Ａの制御部７Ａは、ステップＳ１１のリクエストを受信すると、接続してきた懸賞商品情報提供側端末３Ａのディスプレイに懸賞商品情報登録受付画面を表示させるレスポンス処理を行う。
【００５２】
ステップＳ１３：懸賞商品情報提供側端末３ＡのディスプレイにステップＳ１２のレスポンス処理により懸賞商品情報登録受付画面が表示される。図９は、図８のステップＳ１３で表示される懸賞商品情報登録受付画面例である。図９に示すように、この懸賞商品情報登録受付画面には、提供懸賞名入力欄、懸賞の提供個数、組み合わせの希望有無および希望する場合のアンケートジャンル選択欄、当該懸賞の応募開始期間および終了期間の入力欄などから構成される。なお、提供商品の画像や提供商品の説明、または提供商品に関連したＵＲＬ情報などの情報を入力できるようにしてもよい
【００５３】
ステップＳ１４：懸賞商品情報提供側端末３Ａの制御部３０Ａは、ステップＳ１３で表示された懸賞商品情報登録受付画面から入力された情報を情報管理サーバ２Ａへ送信する。
【００５４】
ステップＳ１５：情報管理サーバ２Ａの制御部７Ａは、ステップＳ１２で送信された懸賞商品情報を受信する。
【００５５】
ステップＳ１６：情報管理サーバ２Ａの制御部７Ａは、ステップＳ１５で受信した情報から組み合わせるアンケートのジャンル希望があるか否かのアンケート希望判定を行う。情報管理サーバ２Ａの制御部７Ａは、アンケート希望がある場合（ステップＳ１６でＹＥＳ）には、ステップＳ１７の処理へ移行する。一方、アンケート希望がない場合（ステップＳ１６でＮＯ）には、ステップＳ１８の処理へ移行する。
【００５６】
ステップＳ１７：情報管理サーバ２Ａの制御部７Ａは、アンケート情報ＤＢ１９Ａを参照して、希望ジャンルに合致する組み合わせ可能なアンケート情報を抽出すると共に、抽出されたアンケート情報と当該懸賞商品情報とを組み合わせるために、懸賞商品情報ＤＢ１８Ａおよびアンケート情報ＤＢ１９Ａ内でそれぞれを対応付ける処理を行う。この組み合わせる処理を行うことで、懸賞に応募するために回答するアンケートが紐つけされる。
【００５７】
ステップＳ１８：情報管理サーバ２Ａの制御部７Ａは、アンケート情報ＤＢ１９Ａを参照して、所定のルールに合致する組み合わせ可能なアンケート情報を抽出すると共に、抽出されたアンケート情報と当該懸賞商品情報とを組み合わせるために、懸賞商品情報ＤＢ１８Ａおよびアンケート情報ＤＢ１９Ａ内でそれぞれを対応付ける処理を行う。なお、ここで言う所定のルールとは、たとえば、懸賞商品の応募期間とアンケート情報の実施期間が一致するものを組み合わせる、またはアンケート情報の登録順に組み合わせるなどである。なお、当該懸賞商品情報にアンケートを組み合わせないまま登録するようにしてもよい。
【００５８】
ステップＳ１９：情報管理サーバ２Ａは、懸賞商品情報登録受付処理を完了し、続いて、懸賞応募側端末５Ａからの当該懸賞商品への応募要求により、ステップＳ２０の処理を行う。
【００５９】
ステップＳ２０：情報管理サーバ２Ａの制御部７Ａは、懸賞商品情報ＤＢ１８Ａおよびアンケート情報ＤＢ１９Ａを参照して、接続してきた懸賞応募側端末５Ａのディスプレイに、対応する懸賞商品情報およびアンケート概要を表示する処理を行う。図１０は、図８のステップＳ２０の処理により表示される画面例を示す図である。図１０に示すように、提供商品の画像がある場合はアンケート受付画面に画像が表示される。また「詳細」ボタンが入力されることにより、提供商品の詳細な説明や提供商品に関連したＷｅｂサイトに接続するようにしても良い。そして、情報管理サーバ２Ａの制御部７Ａは、応募してきた懸賞応募側端末３Ａとの間で懸賞応募受付処理を行う。なお、懸賞応募受付処理の詳細については後述する。
【００６０】
ステップＳ２１：情報管理サーバ２Ａの制御部７Ａは、ステップＳ２０で応募受け付けしたユーザの応募数やユーザの属性情報を収集して解析処理を行う。
【００６１】
ステップＳ２２：情報管理サーバ２Ａの制御部７Ａは、ステップＳ２１で解析した情報を、当該懸賞を提供したユーザへ送信する。
【００６２】
ステップＳ２３：懸賞商品情報提供側端末３Ａのディスプレイに、ステップＳ２２で送信された解析情報が表示され、処理を終了する（ＥＮＤ）。図１１は、図８のステップＳ２３の処理により表示される解析情報表示例を示す図である。この解析例では、アンケート回答したユーザの属性として性別と年齢層が含まれた情報から構成されている。なお、情報管理サーバ２Ａの制御部７Ａは、解析した情報を、メールによる通知と共に、当該ユーザが情報管理システム１Ａにログインした際に表示されるページに表示するようにしてもよい。また、メールアドレスが登録されていない場合や到達しない場合には、メールを送信せずに、情報管理システム１Ａにログインした際に表示されるページにステップＳ２１で解析した情報を表示するようにしてもよい。
【００６３】
なお、上記の懸賞商品情報登録受付処理および懸賞応募情報解析送信処理では、懸賞商品情報応募通知処理により処理を開始したが、懸賞商品情報応募通知処理を行わないで、懸賞商品情報提供側端末３Ａが自発的に懸賞商品情報登録受付画面を示すＵＲＬに接続したときから処理を開始するようにしてもよい。
【００６４】
以上の処理とすることにより、企業の秘匿性を保つことができる。また、アンケートのみを実施したい企業や懸賞を用意することができない企業に対しても懸賞を用意し、そのような企業であっても本システムを容易に利用することができる。また、懸賞商品情報提供側で懸賞へ応募するユーザの個人情報を管理するシステムを構築しなくとも、懸賞へ応募したユーザの属性情報を取得することができる。具体的には、ステップＳ１３で表示される画面において懸賞商品を提供する企業名を表示していないので、懸賞商品情報提供側またはアンケート提供側企業名の秘匿性を保つことができる情報管理システム１Ａ、情報管理サーバ２Ａおよび情報管理方法を提供することができる。また、懸賞の提供情報のみでも登録できることから、アンケートのみを実施したい企業や懸賞を用意することができない企業に対しても懸賞を用意し、容易に利用することができる情報管理システム１Ａ、情報管理サーバ２Ａおよび情報管理方法を提供することができる。また、懸賞商品情報提供側で懸賞へ応募するユーザの個人情報を管理するシステムを構築しなくとも、懸賞へ応募したユーザの属性情報を取得することができる情報管理システム１Ａ、情報管理サーバ２Ａおよび情報管理方法を提供することができる。
【００６５】
１−２−３．アンケート登録受付処理、出力処理、アンケート回答内容解析処理、解析情報送信処理
続いて、アンケート登録受付処理、出力処理、アンケート回答内容解析処理、解析情報送信処理について説明する。図１２は、図１に示す情報管理サーバ２Ａとアンケート提供側端末４Ａの間で行うアンケート登録受付処理、出力処理、アンケート回答内容解析処理、解析情報送信処理を示すフローチャートである。
【００６６】
ＳＴＡＲＴ：情報管理サーバ２Ａの制御部７Ａは、アンケート提供側端末４Ａに対してアンケート応募通知をする処理を行うと、アンケート登録受付処理を開始する。
【００６７】
ステップＳ２５：アンケート提供側端末４Ａの制御部４０Ａは、アンケートの応募通知を受信する。
【００６８】
ステップＳ２６：アンケート提供側端末４Ａの制御部４０Ａは、情報管理サーバ２Ａのアンケート登録受付画面を示すＵＲＬへ接続するようにＨＴＴＰリクエスト処理をする。
【００６９】
ステップＳ２７：情報管理サーバ２Ａの制御部７Ａは、ステップＳ２６のリクエストを受信すると、接続してきたアンケート提供側端末４Ａのディスプレイにアンケート登録受付画面を表示するＨＴＴＰレスポンス処理を行う。
【００７０】
ステップＳ２８：アンケート提供側端末４Ａのディスプレイに、ステップＳ２７の処理に基づいてアンケート登録受付画面が表示される。図１３は、図１２のステップＳ２８で示されるアンケート登録受付画面例を示す図である。図１３に示すように、アンケート内容入力欄、アンケートジャンル選択欄、アンケート内容を確定する確定ボタン、アンケート内容を一括で消去するクリアボタンなどから構成されるウィンドウが表示される。なお、図１３に示すアンケートジャンル選択欄は、たとえば、お酒に関すること、食べ物に関すること、衣服に関すること、お金に関することなどが選択できるようになっている。
【００７１】
ステップＳ２９：アンケート提供側端末４Ａの制御部４０Ａは、ステップＳ２８で表示されたアンケート登録受付画面から入力されたアンケート情報を情報管理サーバ２Ａへ送信する。
【００７２】
ステップＳ３０：情報管理サーバ２Ａの制御部７Ａは、ステップＳ２９で送信されたアンケート情報を受信する。
【００７３】
ステップＳ３１：情報管理サーバ２Ａの制御部７Ａは、ステップＳ３０で受信したアンケート情報が所定の形式を満たしているか否かを判定する。情報管理サーバ２Ａの制御部７Ａは、ステップＳ３１で所定の形式を満たしていない場合（ステップＳ３１でＮＯ）には、満たしていない旨を通知し、ステップＳ３２の処理へ移行する。一方、情報管理サーバ２Ａの制御部７Ａは、ステップＳ３１で所定の形式を満たしている場合（ステップＳ３１でＹＥＳ）には、ステップＳ３３の処理へ移行する。
【００７４】
ステップＳ３２：アンケート提供側端末４Ａの制御部４０Ａは、ステップＳ３１の通知を受信すると、再度入力し直したアンケート情報を情報管理サーバ２Ａへ送信する。
【００７５】
ステップＳ３３：情報管理サーバ２Ａの制御部７Ａは、ステップＳ３０で受信したアンケート情報をアンケート情報ＤＢ１９Ａに登録する。
【００７６】
ステップＳ３４：情報管理サーバ２Ａの制御部７Ａは、ステップＳ３３でアンケート内容が登録されると、当該アンケートに組み合わせる懸賞を決定する処理を行って、アンケート登録受付処理を完了する。
【００７７】
ステップＳ３５：情報管理サーバ２Ａの制御部７Ａは、懸賞応募側端末５Ａから当該懸賞へ応募要求があるとステップＳ３６の処理へ移行する。
【００７８】
ステップＳ３６：情報管理サーバ２Ａの制御部７Ａは、ステップＳ３４で登録された懸賞商品情報および／またはアンケート内容を接続してきた懸賞応募側端末５Ａのディスプレイに表示する。そして、情報管理サーバ２Ａの制御部７Ａは、応募してきた懸賞応募側端末３Ａとの間で懸賞応募受付処理を行う。なお、懸賞応募受付処理の詳細については後述する。
【００７９】
ステップＳ３７：情報管理サーバ２Ａの制御部７Ａは、ステップＳ３６の懸賞応募受付処理のなかで登録されたアンケート結果と回答したユーザの属性情報からアンケート回答結果について解析処理を行う。
【００８０】
ステップＳ３８：情報管理サーバ２Ａの制御部７Ａは、ステップＳ３７で行ったアンケート解析情報をアンケート提供側端末４Ａに送信する処理を行う。
【００８１】
ステップＳ３９：情報管理サーバ２Ａの制御部７Ａは、ステップＳ３８で送信されたアンケート解析情報をディスプレイに表示し、処理を終了する（ＥＮＤ）。図１４は、図１２のステップＳ３９の処理により表示される解析情報の表示例を示す図である。図１４に示すように、アンケート回答結果および回答したユーザ属性として性別が含まれた解析情報となっている。
【００８２】
なお、上記のアンケート登録受付処理、アンケート回答内容解析処理および解析情報送信処理では、アンケート応募通知処理により処理を開始したが、この処理を行わないで、アンケート提供側端末４Ａが自発的にアンケート登録受付画面を示すＵＲＬへ接続したときからこれらの処理を開始するようにしてもよい。
【００８３】
以上の処理とすることにより、企業の秘匿性を保つことができる。また、アンケートのみを実施したい企業や懸賞を用意することができない企業に対しても懸賞を用意し、容易に利用することができる。また、アンケート提供側でアンケートを回答するユーザの個人情報を管理するシステムを構築しなくとも、アンケート回答および回答したユーザの属性情報を取得することができる。具体的には、ステップＳ２４で懸賞商品情報またはアンケートを提供する企業名を表示していないので、懸賞商品情報提供側またはアンケート提供側企業名の秘匿性を保つことができる情報管理システム１Ａ、情報管理サーバ２Ａおよび情報管理方法を提供することができる。また、アンケートのみを実施したい企業や懸賞を用意することができない企業に対しても懸賞を用意することができるため、情報管理システム１Ａを容易に利用することができる情報管理システム１Ａ、情報管理サーバ２Ａおよび情報管理方法を提供することができる。また、アンケート提供側でアンケートを回答するユーザの個人情報を管理するシステムを構築しなくとも、アンケート回答および回答したユーザの属性情報を取得することができる情報管理システム１Ａ、情報管理サーバ２Ａおよび情報管理方法を提供することができる。
【００８４】
１−２−４．懸賞応募受付処理
続いて、懸賞へ応募する処理について説明する。図１５は、図１に示す情報管理サーバ２Ａと懸賞応募側端末５Ａとの間で行う懸賞応募受付処理を示すフローチャートである。この懸賞応募受付処理は、情報管理サーバ２Ａに登録されている懸賞商品へ応募を希望するユーザが懸賞応募側端末５Ａを操作して懸賞へ応募する処理である。
【００８５】
ＳＴＡＲＴ：情報管理サーバ２Ａの制御部７Ａは、接続してきた懸賞応募側端末５Ａの制御部５０Ａから懸賞商品情報および／またはアンケート内容の表示リクエストに対するレスポンス処理により懸賞応募受付処理を開始する。
【００８６】
ステップＳ４０：懸賞応募側端末５Ａの制御部５０Ａは、情報管理サーバ２Ａからのレスポンス処理に基づいて、懸賞応募側端末５Ａのディスプレイに懸賞商品情報および／またはアンケート内容を表示する。
【００８７】
ステップＳ４１：懸賞応募側端末５Ａの制御部５０Ａは、情報管理サーバ２Ａの制御部７Ａが表示させた画面に示されているアンケート項目リストの中からユーザの操作等に基づいて選択されたアンケート項目を情報管理サーバ２Ａに送信する。
【００８８】
ステップＳ４２：情報管理サーバ２Ａの制御部７Ａは、ステップＳ４１で送信されたアンケート情報に基づいて、当該ユーザが回答するアンケート項目が決定される。
【００８９】
ステップＳ４３：情報管理サーバ２Ａの制御部７Ａは、接続してきた懸賞応募側端末５Ａが既に正当なユーザとして認証されているか否かを判定する。ユーザ認証されていない場合（ステップＳ４３でＮＯ）には、ステップＳ４４の処理へ移行する。一方、ユーザ認証が既になされている場合（ステップＳ４３でＹＥＳ）には、ステップＳ４５の処理へと移行する。
【００９０】
ステップＳ４４：情報管理サーバ２Ａの制御部７Ａは、懸賞応募側端末５Ａのディスプレイにログイン画面を表示させ、入力を求める。懸賞応募側端末５Ａの制御部５０Ａは、表示された画面に入力された情報を送信する。情報管理サーバ２Ａの制御部７Ａは、その後ステップＳ４３のユーザ認証判定を再度行う。なお、当該ログイン画面には、新規ユーザ登録画面へのリンクボタンを備えさせ、未登録ユーザの場合には、当該ボタンからユーザ登録画面へと遷移させる。
【００９１】
ステップＳ４５：情報管理サーバ２Ａの制御部７Ａは、アンケート内容の詳細を接続してきた懸賞応募側端末５Ａのディスプレイに表示する。懸賞応募側端末５Ａの制御部５０Ａは、表示されたアンケートに対する回答を情報管理サーバ２Ａへ送信する。
【００９２】
ステップＳ４６：情報管理サーバ２Ａの制御部７Ａは、ステップＳ４５で送信されたアンケート回答内容のチェックを行う。アンケート回答内容に不備がある場合（ステップＳ４６でＮＯ）には、ステップＳ４７の処理へ移行し、アンケート回答内容に不備がない場合（ステップＳ４６でＹＥＳ）には、ステップＳ４８の処理へ移行する。
【００９３】
ステップＳ４７：情報管理サーバ２Ａの制御部７Ａは、回答に不備がある旨を通知し、再度アンケート回答画面を表示させる。懸賞応募側端末５Ａの制御部５０Ａは、再度入力されたアンケート回答内容を情報管理サーバ２Ａへ送信する。
【００９４】
ステップＳ４８：情報管理サーバ２Ａの制御部７Ａは、懸賞応募側端末５Ａから送信されてきたアンケート回答内容およびユーザ属性情報を登録する。なお、ここでいうユーザ属性情報とは、ユーザ情報の一部の情報であり、たとえば、住所から定まる居住エリアや、電話番号などの連絡先、年齢、性別、年収などのそれだけでは個人を特定できない情報のことである。
【００９５】
ステップＳ４９：情報管理サーバ２Ａの制御部７Ａは、当該アンケートに対応する懸賞商品情報ＤＢ１８Ａ内の登録者情報をチェックして（フラグを立てる）、当該ユーザを登録し、応募完了画面の表示処理を行う。
【００９６】
ステップＳ５０：懸賞応募側端末５Ａの制御部５０は、ステップＳ４９の処理で表示される応募完了画面をディスプレイに表示し、処理を終了する（ＥＮＤ）。
【００９７】
このような処理とすることにより、ユーザの個人情報は、情報管理システム１Ａ内にのみ保持される。したがって、この情報管理システム１Ａを利用するユーザは、懸賞ごとに個人情報を入力しなくともよい。また、この情報管理システム１Ａを利用するユーザの個人情報が様々な企業へ流出する危険性が低減される。
【００９８】
１−２−５．抽選処理
図１６は、図１に示す情報管理サーバ２Ａと懸賞応募側端末５Ａとの間で行う抽選処理を示すフローチャートである。抽選処理は、懸賞応募側端末５Ａを操作して応募してきたユーザの中から懸賞の当選者を抽出する処理である。
【００９９】
ＳＴＡＲＴ：情報管理サーバ２Ａの制御部７Ａは、所定のトリガーに基づいて抽選処理を開始する。ここで、所定のトリガーとは、たとえば情報管理サーバ２Ａを管理者が操作し、抽選処理を実行させたときや、懸賞の応募期間が経過したときなどである。
【０１００】
ステップＳ５５：情報管理サーバ２Ａの制御部７Ａは、アンケート情報ＤＢ１９Ａを参照して、該当アンケート項目毎に懸賞応募者を抽出する。なお、応募者を抽出する方法としては、たとえば当該アンケートに関連付けられている懸賞の応募者テーブル（不図示）を懸賞商品情報ＤＢ１８Ａから生成し、参照することで応募したユーザを抽出することができる。
【０１０１】
ステップＳ５６：情報管理サーバ２Ａの制御部７Ａは、所定のアルゴリズムにしたがって、抽選処理を行って、仮の当選者を決定する。
【０１０２】
ステップＳ５７：情報管理サーバ２Ａの制御部７Ａは、ステップＳ５６の抽選処理で当選したユーザが、他のアンケート項目において重複して当選していないか否かを判定する。重複して当選していたユーザが存在する場合（ステップＳ５７でＮＯ）には、ステップＳ５８の処理へ移行する。一方、重複して当選しているユーザが存在しない場合（ステップＳ５７でＹＥＳ）には、ステップＳ５９の処理へ移行する。
【０１０３】
ステップＳ５８：情報管理サーバ２Ａの制御部７Ａは、当該ユーザを抽選対象から除いた上で、ステップＳ５６の処理を再度行う。
【０１０４】
ステップＳ５９：情報管理サーバ２Ａの制御部７Ａは、当落結果を応募ユーザに通知して、処理を終了する（ＥＮＤ）。具体的には、情報管理サーバ２Ａの制御部７Ａは、当落結果を応募ユーザのメールアドレスに送信する。なお、メールによる通知と共に、当該ユーザが情報管理システム１Ａにログインした際に表示されるページに当落結果情報を表示するようにしてもよい。また、メールアドレスが登録されていない場合や到達しない場合には、メールを送信せずに、情報管理システム１Ａにログインした際に表示されるページに当落結果情報を表示するようにしてもよい。
【０１０５】
１−３．懸賞応募側端末５Ａの画面表示例
１−３−１．懸賞応募側端末５ＡがＰＣの場合の画面表示例
続いて、図１に示す懸賞応募側端末５Ａに表示される懸賞商品情報／アンケート画面表示例について説明する。図１７は、図１に示す懸賞応募側端末５ＡがＰＣの場合の表示例である。図１７に示すように、画面右側に、「Ｔｈｅ  アンケート！」という見出しのフレームが表示されている。また、このフレーム内には情報管理システム１Ａにログインが可能である入力欄と、現在提供可能な懸賞商品リストが表示される。
【０１０６】
１−３−２．懸賞応募側端末５Ａが携帯電話の場合の画面表示例
図１８は、図１に示す懸賞応募側端末５Ａが携帯電話の場合の画面表示例である。図１８に示すように、携帯電話の選択メニューに「プレゼント＆アンケート」という項目があり、当該項目を選択すると、図１８の右側にある画面に変わり、現在提供可能な懸賞商品リストとして「プレゼント＆アンケート」が表示される。
【０１０７】
１−３−３．懸賞応募側端末５Ａがテレビの場合の画面表示例
図１９は、図１に示す懸賞応募側端末５Ａがテレビの場合の画面表示例である。図１９に示すように、放送番組が表示されるＴＶ画面の右側に、「Ｔｈｅ  アンケート！」という見出しのフレームが表示されている。また、このフレーム内には現在提供可能な懸賞商品リストが表示されている。なお、当該フレームの下にはユーザが入力した登録名である「お父さん」が表示され、現在お父さんが情報管理システム１Ａにログイン中であることを示している。
【０１０８】
１−３−４．懸賞応募側端末５Ａがラジオの場合の画面表示例
図２０は、図１に示す懸賞応募側端末５Ａがディスプレイ付きラジオの場合の画面表示例である。図２０の左側の画面に示すように、「ＩＰ接続」ボタンを押すと、ディスプレイの右側にある画面に遷移し、「Ｔｈｅ  アンケート！」という見出しのフレームが表示される。また、このフレーム内には現在提供可能な懸賞商品リストが表示される。
【０１０９】
１−３−５．懸賞応募側端末５Ａがゲーム機である場合の画面表示例
図２１は、図１に示す懸賞応募側端末５Ａがゲーム機である場合の場合の画面表示例である。図２１の左側の画面に示すように、ゲームプレイ中の吹き出しに「プレゼント＆アンケート」項目欄があり、当該項目欄を選択すると、図２１の右側に表示されている画面へ遷移し、懸賞商品を示すプレゼントリストが表示される。
【０１１０】
図２２は、図１に示す懸賞応募側端末５Ａがゲーム機である場合の画面表示例である。図２２の左側に示す画面のように、ゲームプレイ前のトップページなどに「アンケート＆プレゼント」ボタンがあり、当該ボタンを選択すると、図２２の右側に表示されているような画面が表示される。なお、この表示例では、懸賞商品（プレゼント）から選択することもできるし、アンケートから選択することもできるものとなっている。なお、ゲームプレイ前のトップページの右下にはユーザが入力した登録名である「お父さん」が表示され、現在お父さんが情報管理システム１Ａにログイン中であることを示している。
【０１１１】
１−４．実施例１の変形例
続いて、実施例１の変形例を説明する。図２３は、図１に示す情報管理システム１Ａの変形例を示す図である。この変形例は、実施例１の情報管理システム１Ａと異なり、放送波を利用して懸賞商品情報を送信し、懸賞商品情報を受信した端末から放送波とは異なるＩＰ通信網により懸賞へ応募することができるものである。
【０１１２】
１−４−１．実施例１の変形例の構成
図２３に示すように、この実施例１の変形例は、放送局６０（情報管理サーバ２Ａに相当）と、懸賞用の商品を提供する企業が有する懸賞商品情報提供サーバ１００（懸賞商品情報提供側端末３Ａに相当）と、アンケートを提供する企業が有するアンケート情報提供サーバ１１０（アンケート提供側端末４Ａに相当）と、懸賞に応募したり、アンケートに回答したりすることができる受信機１２０（懸賞応募側端末５Ａに相当）とを主要な構成要素としている。なお、放送局６０は、放送波を送出する放送送信装置７０とＩＰ通信網１５０などの外部ネットワークと接続されている放送局サーバ８０を有している。
【０１１３】
１−４−１−１．放送送信装置の説明
図２４は、図２３に示す放送局６０が備える放送送信装置７０の構成を示す図である。放送送信装置７０は、制御部７１、コンテンツストリーム作成部７２、ＥＰＧ（Ｅｌｅｃｔｒｏｎｉｃ  Ｐｒｏｇｒａｍ  Ｇｕｉｄｅ）情報生成部７３、データ放送作成部７４、ＭＵＸ（ＭＵｌｔｉｐｌｅＸｅｒ）部７５、放送用コンテンツＤＢ７６、放送スケジュールＤＢ７７、データ放送用コンテンツＤＢ７８とを主要な構成要素としている。なお、図２３に示すように放送送信装置７０は、放送局サーバ８０と接続されている。ここで、制御部７１は、放送送信装置７０全体を制御しているものであり、不図示のＣＰＵなどから構成される。そして、ＣＰＵがハードウェア資源である不図示のＨＤＤやＲＯＭに記憶されているＯＳ、各種プログラムをＲＡＭに読み出して協働して実行することにより、各部の機能を実現する情報処理を行うことができる。
【０１１４】
コンテンツストリーム作成部７２は、放送用コンテンツＤＢ７６を参照して放送用コンテンツ７６Ａを作成する。なお、本実施例において、放送用コンテンツ７６Ａは、ＭＰＥＧ２−ＴＳ（Ｍｏｔｉｏｎ  Ｐｈｏｔｏｇｒａｐｈｉｃ  Ｃｏｄｅｉｎｇ  Ｅｘｐｅｒｔｓ  Ｇｒｏｕｐｅ−２  Ｔｒａｎｓｐｏｒｔ  Ｓｔｒｅａｍ）規格に準拠して符号化及び多重化されているものとして説明する。ＭＰＥＧ２−ＴＳ規格では、伝送されるコンテンツの映像及び音声等は、符号化されたＥＳ（Ｅｌｅｍｅｎｔａｒｙ  Ｓｔｒｅａｍ）として生成され、ＥＳを意味のある単位毎にパケット化されたＰＥＳ（Ｐａｃｋｅｔｉｚｅｄ  Ｅｌｅｍｅｎｔａｒｙ  Ｓｔｒｅａｍ）が生成される。更に、ＰＥＳを分割したＴＳ（Ｔｒａｎｓｐｏｒｔ  Ｓｔｒｅａｍ）パケットが、放送局６０から伝送される。
【０１１５】
また、各ＴＳパケットのヘッダにＰＩＤと呼ばれる１３ビットのパケット識別子を付与することにより、各ＴＳパケットが、放送用コンテンツ７６Ａの映像データ、音声データ、制御データ等のいずれであるのか分類することができる。
【０１１６】
また、ここでいう制御データとは、ＳＩ／ＰＳＩ（Ｓｅｒｖｉｃｅ  Ｉｎｆｏｒｍａｔｉｏｎ／Ｐｒｏｇｒａｍ  Ｓｐｅｃｉｆｉｃ  Ｉｎｆｏｒｍａｔｉｏｎ）と呼ばれるデータを指している。ＳＩ／ＰＳＩのＳＩは、ＥＰＧ情報を作成するために必要な情報等を含み、ＰＳＩは、基本的な制御をするための情報を含む制御データのことである。なお、ＴＳパケットには、放送局６０の意図に反する視聴を防止するための暗号化処理（以下、「スクランブル処理」という）が施されていてもよい。ここで、スクランブル処理の方式としてたとえば、Ｍｕｌｔｉ２を使用することができる。このＭｕｌｔｉ２は、デジタルデータを暗号化する方式の一つであり、ＢＳデジタル放送や地上デジタル放送などでも広く採用されている。なお、放送用コンテンツＤＢ７６には、上述した放送用コンテンツ７６Ａが記憶されている。
【０１１７】
ＥＰＧ情報生成部７３は、放送スケジュールＤＢ７７を参照してＥＰＧ情報を作成する。なお、放送スケジュールＤＢ７７には、放送局６０の放送スケジュールや他の放送局６０の放送スケジュール情報が記憶されていてもよい。
【０１１８】
データ放送作成部７４は、データ放送用コンテンツＤＢ７８から例えば天気予報や番組に関連した情報等のデータ放送用コンテンツ７８Ａを作成する。なお、データ放送用コンテンツ７８Ａも、上述した放送用コンテンツ７６Ａと同様にＭＰＥＧ２−ＴＳ規格に準拠して符号化及び多重化されているものとして説明する。なお、データ放送用コンテンツＤＢ７８には、放送局サーバ８０が生成したデータ放送用のコンテンツや、天気予報や番組に関連した情報等のデータ放送以外にも、その番組に関係する放送局６０が提供するＵＲＬ情報やＰ２Ｐ（Ｐｅｅｒ  ｔｏ  Ｐｅｅｒ）方式で利用できる検索クエリ情報が記憶されていてもよい。なお、データ放送作成部７４は、これらの情報をあわせてＭＵＸ部７５に供給する。
【０１１９】
ＭＵＸ部７５は、コンテンツストリーム作成部７２が放送用コンテンツＤＢ７６を参照して作成したコンテンツデータと、ＥＰＧ情報生成部７３が放送スケジュールＤＢ７７を参照して作成したＥＰＧ情報と、データ放送作成部７４がデータ放送用コンテンツＤＢ７８を参照して作成したデータ放送番組データとを多重化した放送データ７５Ａを生成する。そして、当該放送データ７５Ａは、放送局６０のアンテナから放送波として送出される。
【０１２０】
１−４−１−２．放送局サーバの説明
図２５は、図２３に示す放送局６０が備える放送局サーバ８０の構成を示す図である。放送局サーバ８０は、制御部８１、コンテンツストリーム作成部８２、配信要求受付部８３、ユーザ情報管理部８４、コンテンツデータ配信部８５、コンテンツＤＢ８６、放送スケジュールＤＢ８７、アンケート情報ＤＢ８８、懸賞情報ＤＢ８９、サーバ放送用ＥＰＧ情報作成部９０、ネットワーク接続部９１とを主要な構成要素としている。ここで、制御部８１は、放送局サーバ８０全体を制御しているものであり、不図示のＣＰＵなどから構成される。そして、ＣＰＵがハードウェア資源である不図示のＨＤＤやＲＯＭに記憶されているＯＳ、各種プログラムをＲＡＭに読み出して協働して実行することにより、各部の機能を実現する情報処理を行うことができる。
【０１２１】
コンテンツストリーム作成部８２は、コンテンツＤＢ８６を参照して放送用コンテンツ５０Ａを作成する。なお、上述した放送送信装置７０のコンテンツストリーム作成部７２の基本的な機能は同一であるため、説明を省略する。
【０１２２】
配信要求受付部８３は、受信機からの懸賞情報の配信要求を受け付ける機能を有する。
【０１２３】
ユーザ情報管理部８４は、当該情報管理システム１Ａの変形例を利用するユーザの登録情報を管理する機能を有する。なお、具体的には上述したユーザ情報登録部８Ａ、ユーザ認証部９Ａ、ユーザ情報ＤＢ１７Ａと同様の機能であるため、説明を省略する。
【０１２４】
コンテンツデータ配信部８５は、放送局６０が放送波で送出する放送データ６５Ａとは異なり、ＩＰ通信網１５０経由で放送局６０が放送波で送出する放送データ６５Ａに関連するコンテンツ、またはそれ以外のコンテンツを配信する機能を有する。
【０１２５】
アンケート情報ＤＢ８８は、アンケートを提供する企業が登録したアンケート情報や、当該アンケートの回答内容等が記憶されているデータベースである。なお、記憶されている情報は上述したアンケート情報ＤＢ１９Ａと同様であるため説明を省略する。
【０１２６】
懸賞商品情報ＤＢ８９は、懸賞情報を提供する企業が登録した懸賞情報や、当該懸賞情報に応募したユーザ情報が登録されているデータベースである。なお、記憶されている情報は上述した懸賞商品情報ＤＢ１８Ａと同様であるため説明を省略する。
【０１２７】
サーバ放送用ＥＰＧ情報作成部９０は、放送スケジュールＤＢ８７を参照してＥＰＧ情報を作成する。なお、上述した放送送信装置７０のＥＰＧ情報生成部７３と機能が同一であるため、説明は省略する。
【０１２８】
ネットワーク接続部９１は、ＩＰ通信網１５０を介して受信機１２０と通信を行う通信インターフェースである。
【０１２９】
１−４−１−３．受信機の説明
図２６は、図２３に示す受信機１２０の構成を示す図である。受信機１２０は、制御部１２１、チューナー１２２、ＤＥＭＵＸ（ＤＥＭＵｌｔｉｐｌｅＸｅｒ）部１２３、デコード部１２４、映像音声出力部１２５、ネットワーク接続部１２６、ネットワーク情報デコード部１２７、記録部１２８、操作入力部１２９を主要な構成要素としている。ここで、制御部１２１は、たとえば不図示のハードウェア資源であるＣＰＵなどで構成されており、記録部１２８やＲＯＭなどに格納されている各種プログラムをＲＡＭに読み出して、各種演算処理を協働して実行することで、受信機１２０の各部の機能が行う情報処理を実現することができる。なお、受信機１２０は、図２６に示すように表示装置１３０と音声再生装置１４０とに接続されているが、本実施形態に係る受信機１２０は、これに限定されるものではなく、受信機１２０、表示装置１３０、音声再生装置１４０が同じ筐体内に具備されるようなもの、例えばテレビセットとしても良い。また、受信機１２０と表示装置１３０とが同一の筐体内に具備され、音声再生装置１４０だけが別の筐体内に具備されるような構成であっても良い。つまり、これら３つの受信機１２０、表示装置１３０、音声再生装置１４０をどのような装置内に具備するのかについては特に限定するものではない。また、受信機１２０には録画機能、録音機能を有していてもよい。
【０１３０】
チューナー１２２は、放送局６０の放送波をアンテナで受信し、受信したＲＦ（Ｒａｄｉｏ  Ｆｒｅｑｕｅｎｃｙ）信号を復調し、誤り訂正等を行い、ＴＳパケットからなるＴＳ信号をＤＥＭＵＸ部１２３へ出力する。なお、チューナー１２２は地上デジタル放送を受信するために１つのみ図示したが、アナログ放送も受信する場合にはアナログ放送用のチューナー１２２を備え、２つのチューナー１２２を備えるようにしてもよい。
【０１３１】
ＤＥＭＵＸ部１２３は、ＴＳパケットからなるＴＳ信号（つまり、送信側の放送送信装置７０のＭＵＸ部７５で映像や音声などの複数のストリームを多重化した放送データ）を、映像や音声などのストリームデータと、ＳＩ／ＰＳＩなどのセクション形式のデータとに分離する処理を行う。なお、ＤＥＭＵＸ部１２３によって分離された各データは、制御部１２１の指示にしたがい、デコード部１２４に供給される。
【０１３２】
デコード部１２４は、制御部１２１の指示にしたがい、放送用コンテンツやＥＰＧ情報、データ放送などをデコードする。また、デコード部１２４は、デコードしたこれらのデータを記録部４８に供給する。なお、デコード部１２４が記録部４８に供給するデータは、映像信号、音声信号としてデコードせずに、データ信号としてそのまま供給するようにしてもよい。この場合には、記録部１２８と映像音声出力部１２５との間にデコード部１２４を設けるようにしてもよい。
【０１３３】
また、デコード部１２４は、上述した放送用コンテンツやＥＰＧ情報、データ放送などに対してデコードを行って、それぞれオーディオデータ、ビデオデータ、番組データを生成する。デコードされたオーディオデータは、上述の音声再生装置１４０に供給する。音声再生装置１４０は、供給されたオーディオデータに対してＤ／Ａ変換処理を行い、音声信号として出力する。また、デコード部１２４は、デコードされたビデオデータおよび番組データを、映像音声出力部１２５へ供給する。
【０１３４】
映像音声出力部１２５は、供給された番組データを不図示のＲＡＭに格納する。映像音声出力部１２５は、番組データを描画することでＥＰＧ情報を生成する。そして、映像音声出力部１２５は、デコード部１２４からのビデオデータに基づいた画面上に、ＥＰＧ情報に基づいた画面を合成した合成画面を生成し、表示装置１３０に送出する。表示装置１３０は、この合成画面を表示する。
【０１３５】
ネットワーク接続部１２６は、ＩＰ通信網１５０を介して放送局サーバ８０と通信を行う通信インターフェースである。ネットワーク接続部１２６は、放送局８０のネットワーク接続部９１からのデータを受信し、ネットワーク情報デコード部１２７に当該データを送る。
【０１３６】
ネットワーク情報デコード部１２７は、ネットワーク接続部１２６から受信したデータを制御部１２１の指示にしたがってデコードし、映像音声出力部１２５に供給する。映像音声出力部１２５に供給されたデータは、同様に、表示装置１３０および／または音声再生装置１４０に出力される。
【０１３７】
記録部１２８は、制御部１２１からの記録指示によりデコード部１２４、ネットワーク情報デコード部１２７でデコードした各データを記憶する。
【０１３８】
１−４−２．第１実施形態の変形例が行う懸賞情報配信処理および懸賞応募受付処理
図２７は、図２３に示す放送局６０と受信機１２０との間で行う懸賞情報配信処理および懸賞応募受付処理のフローチャートである。
【０１３９】
ＳＴＡＲＴ：放送局６０の放送送信装置７０は、懸賞情報の有無を監視し、放送すべき懸賞情報があると、懸賞情報配信処理を開始する。
【０１４０】
ステップＳ６０：放送送信装置７０は、懸賞情報をデータ放送に多重化して放送する。
【０１４１】
ステップＳ６１：受信機１２０は、ステップＳ６０で送出された懸賞情報をアンテナで受信する。
【０１４２】
ステップＳ６２： 受信機１２０の制御部１２１は、懸賞応募要求有無判定を行う。懸賞応募要求がある場合には、懸賞応募受付処理を開始するべく、ステップＳ６３の処理へ移行し、応募要求がない場合には、処理を終了する（ＥＮＤ）。なお、懸賞応募要求は、ユーザのリモコン操作などに基づいて判断する。
【０１４３】
ステップＳ６３：受信機１２０の制御部１２１は、懸賞応募受付処理を開始する。具体的には、受信機１２０の制御部１２１は、放送局サーバ８０に対して懸賞応募要求データを生成し、ＩＰ通信網１５０経由で送信する。
【０１４４】
ステップＳ６４：放送局サーバ８０の制御部８１は、ステップＳ６３の懸賞応募要求を受信する。
【０１４５】
ステップＳ６５：放送局サーバ８０の制御部８１は、ステップ６４で受信した懸賞応募要求に対応した懸賞情報およびアンケート情報を受信機１２０へ送信する。なお、放送局サーバ８０の制御部８１は、懸賞情報およびアンケート情報を示す画面と共にアクセスしてきたユーザがログインするためのログイン画面も表示させる。
【０１４６】
ステップＳ６６：受信機１２０の制御部１２１は、操作入力部１２９からの入力に基づいてログイン処理を行う。
【０１４７】
ステップＳ６７：放送局サーバ８０の制御部８１は、ステップＳ６６のログイン処理により送信されてきた情報から、ユーザ登録がされているか否かを判定する。登録されていない場合（ステップＳ６７でＮＯ）には、ステップＳ６８の処理へ移行する。一方、登録されている場合（ステップＳ６７でＹＥＳ）には、ステップＳ６９の処理へ移行する。
【０１４８】
ステップＳ６８：受信機１２０の制御部１２１は、ユーザ登録されていないため、ユーザ登録処理を行う。なお、ユーザ登録処理については、図６に示したユーザ登録処理と同様の処理であるため、説明を省略する。
【０１４９】
ステップＳ６９：放送局サーバ８０の制御部８１は、ユーザ認証判定を行う。具体的には、放送局サーバ８０のユーザ情報管理部８４が受信機１２０から送信されてきたユーザＩＤやパスワードから認証を行う。正当なユーザと認証されなかった場合（ステップＳ６８でＮＯ）には、ステップＳ７０の処理へ移行する。一方、正当なユーザと認証された場合（ステップＳ６９でＹＥＳ）には、ステップＳ７１の処理へ移行する。
【０１５０】
ステップＳ７０：受信機１２０の制御部１２１は、放送局サーバ８０でのユーザ認証がなされなかったため、ログイン画面を表示させ、操作入力部１２９からの入力に基づいて再度ログイン処理を行う。
【０１５１】
ステップＳ７１：放送局サーバ８０の制御部８１は、アンケート回答入力画面を表示させる処理を行う。
【０１５２】
ステップＳ７２：受信機１２０の制御部１２１は、ステップＳ７１の表示処理に基づいて、アンケート回答入力画面を表示させる。
【０１５３】
ステップＳ７３：受信機１２０の制御部１２１は、ステップＳ７２の表示画面から入力されたアンケート回答情報を放送局サーバ８０へ送信する。
【０１５４】
ステップＳ７４：放送局サーバ８０の制御部８１は、ステップＳ７３で送信されたアンケート回答情報を受信する。
【０１５５】
ステップＳ７５：放送局サーバ８０の制御部８１は、ステップＳ７４で受信したアンケート回答情報を登録すると共に、応募登録を行い、応募完了画面を表示させる処理を行う。
【０１５６】
ステップＳ７６：受信機１２０の制御部１２１は、ステップＳ７５の表示処理に基づいて応募完了画面を表示し、処理を終了する（ＥＮＤ）。
【０１５７】
このような処理とすることで、上述した第１実施形態の奏する効果に加え、インターネットなどのＩＰ通信網をあまり利用しない、または疎遠であるユーザに対しても、放送メディアで懸賞情報を報知することにより、アンケートを容易に実施することが可能となる。
【実施例２】
【０１５８】
２．情報管理システム１Ｂの全体構成の概要
続いて、本発明の第２実施形態に係る情報管理システム１Ｂについて説明する。本発明の第２実施形態に係る情報管理システム１Ｂは、第１実施形態に係る情報管理システム１Ａと異なり、懸賞提供者側が当該懸賞の提供条件を詳細に指定することができる。
【０１５９】
情報管理システム１Ｂは、情報管理サーバ２Ｂ、懸賞商品情報提供側端末３Ｂ、アンケート提供側端末４Ｂ、懸賞応募者側端末５Ｂを主要な構成要素とし、それぞれがネットワーク６Ｂを介して接続されている。なお、第２実施形態に係る情報管理システム１Ｂの情報管理サーバ２Ｂは、制御部７Ｂ、ユーザ情報登録部８Ｂ、ユーザ認証部９Ｂ、懸賞情報登録受付部１０Ｂ、アンケート情報登録受付部１１Ｂ、応募用アンケート決定部１２Ｂ、懸賞応募受付部１３Ｂ、懸賞抽選部１４Ｂ、通信制御部１５Ｂ、記憶部１６Ｂ、ユーザ情報ＤＢ１７Ｂ、懸賞商品情報ＤＢ１８Ｂ、アンケート情報ＤＢ１９Ｂ、アプリケーションプログラム群２０Ｂ、ＯＳ２１Ｂ、入力部２２Ｂ、出力部２３Ｂとを備えているＷｅｂベースのアプリケーションサーバとして構築することができる。なお、当該構成は、第１実施形態に係る情報管理システム１Ａの情報管理サーバ２Ａと同一であるため、図示および各部の機能説明を省略する。
【０１６０】
また、情報管理システム１Ｂの懸賞商品情報提供側端末３Ｂ、アンケート提供側端末４Ｂ、懸賞応募者側端末５Ｂの各構成についても、第１実施形態に係る情報管理システム１Ａの懸賞商品情報提供側端末３Ａ、アンケート提供側端末４Ａ、懸賞応募者側端末５Ａの各構成と同一であるため図示および機能の説明を省略する。なお、以下の説明では便宜上、懸賞商品情報提供側端末３Ｂの構成は、制御部３０Ｂ、通信制御部３１Ｂ、記憶部３２Ｂ、入力部３４Ｂ、出力部３５Ｂとし、アンケート提供側端末４Ｂの構成は、制御部４０Ｂ、通信制御部４１Ｂ、記憶部４２Ｂ、入力部４４Ｂ、出力部４５Ｂとし、懸賞応募側端末５Ｂの構成は、制御部５０Ｂ、通信制御部５１Ｂ、記憶部５２Ｂ、入力部５４Ｂ、出力部５５Ｂとして説明する。
【０１６１】
２−１．懸賞商品情報登録受付処理、出力処理、解析情報送信処理
図２８は、本発明の第２実施形態に係る情報管理サーバ２Ｂと懸賞商品情報提供側端末３Ｂとの間で行う懸賞商品情報登録受付処理、出力処理、解析情報送信処理のフローチャートである。
【０１６２】
ＳＴＡＲＴ：情報管理サーバ２Ｂの制御部７Ｂが、懸賞情報募集の通知処理を行うと、懸賞商品情報登録受付処理を開始する。
【０１６３】
ステップＳ８０：懸賞商品情報提供側端末３Ｂの制御部３０Ｂは、懸賞情報募集通知を受信する。
【０１６４】
ステップＳ８１：懸賞商品情報提供側端末３Ｂの制御部３０Ｂは、懸賞情報募集の通知を受けると、情報管理サーバ２Ｂの懸賞情報登録受付画面を示すＵＲＬへ接続するようにＨＴＴＰリクエスト処理をする。
【０１６５】
ステップＳ８２：情報管理サーバ２Ｂの制御部７Ｂは、接続してきた懸賞商品情報提供側端末３Ｂのディスプレイに懸賞情報登録受付画面を表示させるレスポンス処理を行う。なお、本処理は、制御部７Ｂの指示により懸賞情報登録受付部１０Ｂが行う。
【０１６６】
ステップＳ８３：懸賞商品情報提供側端末３Ｂの制御部３０Ｂは、ステップＳ８２の表示処理に基づいて懸賞情報登録受付画面を表示する。この懸賞情報登録受付画面には、懸賞の提供数、応募期間、応募期間中であって、所定期間毎の懸賞品の提供数、希望アンケートジャンルなどを自由に設定することができる。
【０１６７】
ステップＳ８４：懸賞商品情報提供側端末３Ｂの制御部３０Ｂは、ステップＳ８３で表示された懸賞情報登録受付画面から入力された懸賞情報を情報管理サーバ２Ｂに対して送信する。
【０１６８】
ステップＳ８５：情報管理サーバ２Ｂの制御部７Ｂは、ステップＳ８４で送信されてきた懸賞情報を懸賞商品情報ＤＢ１８Ｂへ登録する処理を行う。
【０１６９】
ステップＳ８６：情報管理サーバ２Ｂの制御部７Ｂは、接続してきた懸賞商品情報提供側端末３Ｂのディスプレイに懸賞用アンケートリストを表示させる処理を行う。なお、この懸賞用アンケートリストは、ステップＳ８５で登録された懸賞情報に含まれる希望アンケートジャンルの指定条件に従って抽出されたアンケート項目から構成される。
【０１７０】
ステップＳ８７：懸賞商品情報提供側端末３Ｂの制御部３０Ｂは、ステップＳ８６の表示処理に基づいて懸賞用アンケートリスト画面を表示する。
【０１７１】
ステップＳ８８：懸賞商品情報提供側端末３Ｂの制御部３０Ｂは、ステップＳ８７で表示された懸賞用アンケートリスト画面から入力された情報を情報管理サーバ２Ｂへ送信する。具体的には、当該懸賞にアンケートの必要有無を示す情報、アンケートが必要である場合にどのアンケートと組み合わせるのかを示す情報などを情報管理サーバ２Ｂへ送信する。
【０１７２】
ステップＳ８９：情報管理サーバ２Ｂの制御部７Ｂは、ステップＳ８８で送信された情報を懸賞商品情報ＤＢ１８Ｂ、アンケート情報ＤＢ１７Ｂへ登録し、懸賞商品情報登録受付処理を完了する。
【０１７３】
ステップＳ９０：続いて、懸賞応募側端末５Ｂから懸賞情報の応募要求が発生すると、ステップＳ９１の処理へ移行する。
【０１７４】
ステップＳ９１：情報管理サーバ２Ｂの制御部７Ｂは、接続してきた懸賞応募側端末５Ｂとの間で懸賞応募受付処理を行うと共に、送信されてきたアンケート回答内容と当該ユーザの属性情報を集計して解析する。
【０１７５】
ステップＳ９２：情報管理サーバ２Ｂの制御部７Ｂは、懸賞商品情報提供側端末３Ｂへ懸賞応募解析情報を送信する。
【０１７６】
ステップＳ９３：懸賞商品情報提供側端末３Ｂの制御部３０Ｂは、ステップＳ９２で送信された懸賞応募解析情報を受信し、ディスプレイに表示して処理を終了する（ＥＮＤ）。なお、情報管理サーバ２Ｂの制御部７Ｂは、懸賞応募解析情報を、懸賞を提供したユーザのメールアドレスに送信してもよい。更に、メールによる通知と共に、当該懸賞を提供したユーザが情報管理システム１Ｂにログインした際に表示されるページに懸賞応募解析情報を表示するようにしてもよい。また、メールアドレスが登録されていない場合や到達しない場合には、メールを送信せずに、情報管理システム１Ｂにログインした際に表示されるページに懸賞応募解析情報を表示するようにしてもよい。
【０１７７】
以上の処理とすることにより、第1実施形態で示した情報管理システム１Ａの奏する効果に加えて、懸賞情報提供側の企業は、当該懸賞の提供条件を詳細に指定することができる。
【０１７８】
具体的には、ステップＳ８３で表示される画面から、懸賞の提供情報を登録する企業が明示的に当該懸賞のアンケート項目を選択することも可能であり、懸賞となる商品等とまったく関係のないアンケートを選択する、または懸賞となる商品等との関連性があるようなアンケートと組み合わせることもできる。なお、このような懸賞の提供情報のみを登録する企業にとっては、アンケート項目と組み合わせなくとも、応募してくるユーザの属性情報を得ることが可能なので、たとえばアンケートのみを提供する企業から懸賞提供費用を受け取るようにしてもよい。
【０１７９】
２−２．懸賞商品情報登録受付処理の変形例
図２９は、本発明の第２実施形態に係る情報管理サーバ２Ｂと懸賞商品情報提供側端末３Ｂとの間で行う他の懸賞商品情報登録受付処理および比較処理、出力処理、解析情報送信処理のフローチャートである。この変形例では、図２８で説明した処理と異なり、登録した懸賞情報に対して比較用の懸賞を設定することができる。
【０１８０】
ＳＴＡＲＴ：情報管理サーバ２Ｂの制御部７Ｂが、懸賞情報募集の通知処理を行うと、懸賞商品情報登録受付処理を開始する。
【０１８１】
ステップＳ９５：懸賞商品情報提供側端末３Ｂの制御部３０Ｂは、懸賞情報募集の通知を受信する。
【０１８２】
ステップＳ９６：懸賞商品情報提供側端末３Ｂの制御部３０Ｂは、ステップＳ９５の募集通知を受信すると、情報管理サーバ２Ｂの懸賞情報登録受付画面を示すＵＲＬへ接続するようにＨＴＴＰリクエスト処理する。
【０１８３】
ステップＳ９７：情報管理サーバ２Ｂの制御部７Ｂは、ステップＳ９６のＨＴＴＰリクエスト処理を受信すると、接続してきた懸賞商品情報提供側端末３Ｂのディスプレイに懸賞情報登録受付画面を表示するレスポンス処理を行う。
【０１８４】
ステップＳ９８：懸賞商品情報提供側端末３Ｂの制御部３０Ｂは、ステップＳ９７のレスポンス処理に基づいて、懸賞情報登録受付画面をディスプレイに表示する。なお、当該懸賞情報登録受付画面については、図２８のステップＳ８３で説明した懸賞情報登録受付画面と同一であるため、説明を省略する。
【０１８５】
ステップＳ９９：懸賞商品情報提供側端末３Ｂの制御部３０Ｂは、ステップＳ９８で表示された懸賞情報登録受付画面から入力された懸賞情報を情報管理サーバ２Ｂに対して送信する。
【０１８６】
ステップＳ１００：情報管理サーバ２Ｂの制御部７Ｂは、ステップＳ９９で送信されてきた懸賞情報を懸賞商品情報ＤＢ１８Ｂへ登録する処理を行う。
【０１８７】
ステップＳ１０１：情報管理サーバ２Ｂの制御部７Ｂは、比較用となる懸賞商品情報リストを懸賞商品情報提供側端末３Ｂのディスプレイに表示させる処理を行う。なお、本処理は、制御部７Ｂの指示により懸賞情報登録受付部１０Ｂが行う。
【０１８８】
ステップＳ１０２：懸賞商品情報提供側端末３Ｂの制御部３０Ｂは、ステップＳ１０１の表示処理に基づいて懸賞商品情報提供側端末３Ｂのディスプレイに比較用となる懸賞情報リストを表示させる。
【０１８９】
ステップＳ１０３：懸賞商品情報提供側端末３Ｂの制御部３０Ｂは、ステップＳ１０２で表示された画面から入力された情報を情報管理サーバ２Ｂへ送信する。具体的には、比較用懸賞の有無、比較用懸賞が必要であるときに、どの懸賞を比較用として選択するかを示す情報を情報管理サーバ２Ｂへ送信する。
【０１９０】
ステップＳ１０４：情報管理サーバ２Ｂの制御部７Ｂは、ステップＳ１０３で送信された情報を懸賞商品情報ＤＢ１８Ｂへ登録する。
【０１９１】
ステップＳ１０５：情報管理サーバ２Ｂの制御部７Ｂは、当該懸賞に組み合わせるアンケートリスト画面を表示させる処理を行う。
【０１９２】
ステップＳ１０６：懸賞商品情報提供側端末３Ｂの制御部３０Ｂは、ステップＳ１０５の表示処理に基づいて当該懸賞用アンケートリスト画面を表示する。なお、懸賞用アンケートリスト画面は、図２８のステップＳ８７で説明した懸賞用アンケートリスト画面と同一であるため、説明を省略する。
【０１９３】
ステップＳ１０７：懸賞商品情報提供側端末３Ｂの制御部３０Ｂは、ステップＳ１０６で表示される懸賞用アンケートリスト画面から入力された情報を情報管理サーバ２Ｂへ送信する。具体的には、懸賞商品情報提供側端末３Ｂの制御部３０Ｂは、アンケートの組み合わせ要否、組み合わせが必要である場合に選択するアンケート情報を情報管理サーバ２Ｂへ送信する。
【０１９４】
ステップＳ１０８：情報管理サーバ２Ｂの制御部７Ｂは、ステップＳ１０７で送信された情報を、アンケート情報ＤＢ１９Ｂおよび懸賞商品情報ＤＢ１８Ｂに登録し、懸賞商品情報登録受付処理を完了し、ステップＳ１０９の処理へ移行する。
【０１９５】
ステップＳ１０９：情報管理サーバ２Ｂの制御部７Ｂは、懸賞応募側端末５Ｂからの懸賞応募要求により、以下のステップＳ１１０の処理を開始する。
【０１９６】
ステップＳ１１０：情報管理サーバ２Ｂの制御部７Ｂは、接続してきた懸賞応募側端末５Ｂとの間で懸賞応募受付処理を行うと共に、送信されてきたアンケート回答内容と当該ユーザの属性情報を集計して解析する。なお、比較用の懸賞との応募数の差やユーザ属性の違いなども解析する。
【０１９７】
ステップＳ１１１：情報管理サーバ２Ｂの制御部７Ｂは、懸賞商品情報提供側端末３Ｂへ懸賞応募解析情報を送信する。
【０１９８】
ステップＳ１１２：懸賞商品情報提供側端末３Ｂの制御部３０Ｂは、ステップＳ１１１で送信された懸賞応募解析情報を受信し、ディスプレイに表示して処理を終了する（ＥＮＤ）。なお、情報管理サーバ２Ｂの制御部７Ｂは、懸賞応募解析情報を、懸賞を提供したユーザのメールアドレスに送信してもよい。更に、メールによる通知と共に、当該懸賞を提供したユーザが情報管理システム１Ｂにログインした際に表示されるページに懸賞応募解析情報を表示するようにしてもよい。また、メールアドレスが登録されていない場合や到達しない場合には、メールを送信せずに、情報管理システム１Ｂにログインした際に表示されるページに懸賞応募解析情報を表示するようにしてもよい。
【０１９９】
このような処理とすることで、登録した懸賞情報に対して比較用の懸賞を設定することができる。これにより、懸賞間のユーザの嗜好、応募してきたユーザ属性の差などを見ることができる。
【実施例３】
【０２００】
３．情報管理システム１Ｃの全体構成の概要
続いて、本発明の第３実施形態に係る情報管理システム１Ｃについて説明する。本発明の第３実施形態に係る情報管理システム１Ｃは、第１実施形態に係る情報管理システム１Ａと異なり、アンケート提供側が明示的に懸賞情報を選択できるものである。
【０２０１】
情報管理システム１Ｃは、情報管理サーバ２Ｃ、懸賞商品情報提供側端末３Ｃ、アンケート提供側端末４Ｃ、懸賞応募者側端末５Ｃを主要な構成要素とし、それぞれがネットワーク６Ｃを介して接続されている。なお、第３実施形態に係る情報管理システム１Ｃの情報管理サーバ２Ｃは、制御部７Ｃ、ユーザ情報登録部８Ｃ、ユーザ認証部９Ｃ、懸賞情報登録受付部１０Ｃ、アンケート情報登録受付部１１Ｃ、応募用アンケート決定部１２Ｃ、懸賞応募受付部１３Ｃ、懸賞抽選部１４Ｃ、通信制御部１５Ｃ、記憶部１６Ｃ、ユーザ情報ＤＢ１７Ｃ、懸賞商品情報ＤＢ１８Ｃ、アンケート情報ＤＢ１９Ｃ、アプリケーションプログラム群２０Ｃ、ＯＳ２１Ｃ、入力部２２Ｃ、出力部２３Ｃとを備えているＷｅｂベースのアプリケーションサーバとして構築することができる。なお、ここで、制御部７Ｃは、アンケート情報登録受付部１１Ｃでアンケート登録を行う際に、アンケートと組み合わせる懸賞商品の提供情報を表示させると共に、表示させた懸賞商品の提供情報の中から特定の懸賞商品の提供情報を選択させるアンケート用懸賞商品情報選択部、アンケート用懸賞商品情報選択部で選択された懸賞商品の提供情報と、アンケートとを組み合わせる組み合わせ部、懸賞応募受付部１３Ｃで懸賞商品へ応募したユーザのアンケート回答内容および／またはユーザ情報を、アンケートを登録したユーザへ送信するアンケート回答情報送信部としても機能する。なお、ユーザ情報登録部８Ｃ〜出力部２３Ｃは、第1実施形態の情報管理サーバ２Ａのユーザ情報登録部８Ａ〜出力部２３Ａと同一であるため、説明を省略する。
【０２０２】
また、情報管理システム１Ｃの懸賞商品情報提供側端末３Ｃ、アンケート提供側端末４Ｃ、懸賞応募者側端末５Ｃの各構成についても、第１実施形態に係る情報管理システム１Ａの懸賞商品情報提供側端末３Ｃ、アンケート提供側端末４Ｃ、懸賞応募者側端末５Ｃの各構成と同一であるため図示および機能の説明を省略する。なお、以下の説明では便宜上、懸賞商品情報提供側端末３Ｃの構成は、制御部３０Ｃ、通信制御部３１Ｃ、記憶部３２Ｃ、入力部３４Ｃ、出力部３５Ｃとし、アンケート提供側端末４Ｃの構成は、制御部４０Ｃ、通信制御部４１Ｃ、記憶部４２Ｃ、入力部４４Ｃ、出力部４５Ｃとし、懸賞応募側端末５Ｃの構成は、制御部５０Ｃ、通信制御部５１Ｃ、記憶部５２Ｃ、入力部５４Ｃ、出力部５５Ｃとして説明する。
【０２０３】
３−１．アンケート情報登録受付処理
図３０は、本発明の第３実施形態に係る情報管理サーバ２Ｃとアンケート提供側端末４Ｃとの間で行うアンケート情報登録受付処理のフローチャートである。
【０２０４】
ＳＴＡＲＴ：情報管理サーバ２Ｃの制御部７Ｃは、アンケート提供側端末４Ｃに対してアンケートの応募をしている旨を通知する処理を行うと、アンケート登録受付処理を開始する。
【０２０５】
ステップＳ１１５：アンケート提供側端末４Ｃの制御部４０Ｃは、アンケートの応募通知を受信する。
【０２０６】
ステップＳ１１６：アンケート提供側端末４Ｃの制御部４０Ｃは、ステップＳ１１５の応募通知を受信すると、情報管理サーバ２Ｃのアンケート登録受付画面を示すＵＲＬへ接続するようにＨＴＴＰリクエスト処理をする。
【０２０７】
ステップＳ１１７：情報管理サーバ２Ｃの制御部７Ｃは、接続してきたアンケート提供側端末４Ｃのディスプレイにアンケート登録受付画面を表示させるレスポンス処理を行う。
【０２０８】
ステップＳ１１８：アンケート提供側端末４Ｃの制御部４０Ｃは、ステップＳ１１７の表示処理に基づいてアンケート登録受付画面を表示する。なお、このアンケート登録受付画面は、第1実施例で示した図１３の表示画面に加えて、組み合わせを希望する懸賞ジャンルを選択できる項目が追加されている。
【０２０９】
ステップＳ１１９：アンケート提供側端末４Ｃの制御部４０Ｃは、ステップＳ１１８で表示された画面から入力されたアンケート内容等を情報管理サーバ２Ｃへ送信する。
【０２１０】
ステップＳ１２０：情報管理サーバ２Ｃの制御部７Ｃは、ステップＳ１１９で送信されたアンケート内容等をアンケート情報ＤＢ１９Ｃに登録する。
【０２１１】
ステップＳ１２１：情報管理サーバ２Ｃの制御部７Ｃは、当該アンケート情報と組み合わせ可能な懸賞情報リストを生成して表示させる処理を行う。なお、本処理は、制御部７Ｃの指示にしたがい、アンケート情報登録受付部１１Ｃが行う。
【０２１２】
ステップＳ１２２：アンケート提供側端末４Ｃの制御部４０Ｃは、ステップＳ１２１の表示処理に基づいて、懸賞情報選択リスト画面を表示する。図３１は、図３０のステップＳ１２２で表示される懸賞情報選択リスト画面例を示す図である。図３１に示すように、当該アンケート内容で選択可能な懸賞情報リスト画面が表示されている。なお、この懸賞情報リストは、ステップＳ１１８で表示された画面から入力された組み合わせを希望する懸賞ジャンルに基づいて無作為に抽出した懸賞商品が表示されている。したがって、「他のリストを表示」ボタンを押下することで現在表示されている懸賞商品以外で、希望する懸賞ジャンルを満たす他の懸賞商品を表示することもできる。
【０２１３】
ステップＳ１２３：アンケート提供側端末４Ｃの制御部４０Ｃは、ステップＳ１２２で表示された懸賞情報リストから、選択された懸賞情報を情報管理サーバ２Ｃに送信する。
【０２１４】
ステップＳ１２４：情報管理サーバ２Ｃの制御部７Ｃは、ステップＳ１２３で選択された懸賞情報との組み合わせ情報を懸賞商品情報ＤＢ１８Ｃおよびアンケート情報ＤＢ１９Ｃに登録して、アンケート登録受付処理を完了し、ステップＳ１２５の処理へ移行する。
【０２１５】
ステップＳ１２５：情報管理サーバ２Ｃの制御部７Ｃは、懸賞応募側端末５Ｃから当該懸賞に応募要求があるとステップ１２６の処理へ移行する。
【０２１６】
ステップＳ１２６：情報管理サーバ２Ｃの制御部７Ｃは、当該懸賞情報および／またはアンケート内容への応募受付処理を行う。具体的には、懸賞応募側端末５Ｃより送信されてきた情報（回答、応募したユーザＩＤ）を懸賞商品情報ＤＢ１８Ｃおよびアンケート情報ＤＢ１９Ｃに登録する。
【０２１７】
ステップＳ１２７：情報管理サーバ２Ｃの制御部７Ｃは、ステップＳ１２６で登録されたアンケート結果と回答したユーザの属性からアンケート回答結果について解析処理を行う。
【０２１８】
ステップＳ１２８：情報管理サーバ２Ｃの制御部７Ｃは、ステップＳ１２７で行ったアンケート解析結果情報をアンケート提供側端末４Ｃに送信する処理を行う。
【０２１９】
ステップＳ１２９：アンケート提供側端末４Ｃの制御部４０Ｃは、ステップＳ１２８で送信されたアンケート解析結果情報を表示し、処理を終了する（ＥＮＤ）。なお、情報管理サーバ２Ｃの制御部７Ｃは、アンケート解析結果情報を、アンケートを提供するユーザのメールアドレスに送信してもよい。更に、メールによる通知と共に、当該アンケートを提供するユーザが当該情報管理システム１Ｃにログインした際に表示されるページにアンケート解析結果情報を表示するようにしてもよい。また、メールアドレスが登録されていない場合や到達しない場合には、メールを送信せずに、情報管理システム１Ｃにログインした際に表示されるページにアンケート解析結果情報を表示するようにしてもよい。
【０２２０】
なお、上記のアンケート登録受付処理、アンケート回答内容解析処理および解析情報送信処理では、アンケート応募通知処理により処理を開始したが、この処理を行わないで、アンケート提供側端末４Ｃが自発的にアンケート登録受付画面を示すＵＲＬへ接続したときからこれらの処理を開始するようにしてもよい。
【０２２１】
このような処理とすることで、第１実施形態で示した情報管理システム１Ａの奏する効果に加えて、アンケート情報提供側の企業は、当該アンケートを提供する際の懸賞を指定することができる。
【実施例４】
【０２２２】
４．情報管理システム１Ｄの全体構成の概要
続いて、本発明の第４実施形態に係る情報管理システム１Ｄについて説明する。本発明の第４実施形態に係る情報管理システム１Ｄは、第１実施形態に係る情報管理システム１Ａと異なり、アンケート提供側が特定のユーザ属性に対してのみアンケートを実施する際に、組み合わされた懸賞を提供する企業へユーザ属性を限定することについて承諾を得るものである。
【０２２３】
情報管理システム１Ｄには、情報管理サーバ２Ｄ、懸賞商品情報提供側端末３Ｄ、アンケート提供側端末４Ｄ、懸賞応募者側端末５Ｄを主要な構成要素とし、それぞれがネットワーク６Ｄを介して接続されている。なお、第４実施形態に係る情報管理システム１Ｄの情報管理サーバ２Ｄは、制御部７Ｄ、ユーザ情報登録部８Ｄ、ユーザ認証部９Ｄ、懸賞情報登録受付部１０Ｄ、アンケート情報登録受付部１１Ｄ、応募用アンケート決定部１２Ｄ、懸賞応募受付部１３Ｄ、懸賞抽選部１４Ｄ、通信制御部１５Ｄ、記憶部１６Ｄ、ユーザ情報ＤＢ１７Ｄ、懸賞商品情報ＤＢ１８Ｄ、アンケート情報ＤＢ１９Ｄ、アプリケーションプログラム群２０Ｄ、ＯＳ２１Ｄ、入力部２２Ｄ、出力部２３Ｄとを備えているＷｅｂベースのアプリケーションサーバとして構築することができる。なお、ここで、制御部７Ｄは、アンケート情報登録受付部１１Ｄでアンケート登録を行う際に、アンケートと組み合わせる懸賞商品の提供情報を表示させると共に、表示させた懸賞商品の提供情報の中から特定の懸賞商品の提供情報を選択させるアンケート用懸賞商品情報選択部、アンケート情報登録受付部で登録するアンケートの実施対象ユーザが制限される場合に、アンケート用懸賞商品情報選択部で選択された特定の懸賞商品の提供情報を登録したユーザに対して当該アンケートと組み合わせる旨の承諾を求める承諾部としても機能する。なお、ユーザ情報登録部８Ｄ〜出力部２３Ｄは、第１実施形態の情報管理サーバ２Ａのユーザ情報登録部８Ａ〜出力部２３Ａと同一であるため、説明を省略する。
【０２２４】
また、情報管理システム１Ｄの懸賞商品情報提供側端末３Ｄ、アンケート提供側端末４Ｄ、懸賞応募者側端末５Ｄの各構成についても、第１実施形態に係る情報管理システム１Ａの懸賞商品情報提供側端末３Ｄ、アンケート提供側端末４Ｄ、懸賞応募者側端末５Ｄの各構成と同一であるため図示および機能の説明を省略する。なお、以下の説明では便宜上、懸賞商品情報提供側端末３Ｄの構成は、制御部３０Ｄ、通信制御部３１Ｄ、記憶部３２Ｄ、入力部３４Ｄ、出力部３５Ｄとし、アンケート提供側端末４Ｄの構成は、制御部４０Ｄ、通信制御部４１Ｄ、記憶部４２Ｄ、入力部４４Ｄ、出力部４５Ｄとし、懸賞応募側端末５Ｄの構成は、制御部５０Ｄ、通信制御部５１Ｄ、記憶部５２Ｄ、入力部５４Ｄ、出力部５５Ｄとして説明する。
【０２２５】
４−１．アンケート登録受付処理
図３２は、本発明の第４実施形態に係る懸賞商品情報提供側端末３Ｄとアンケート提供側端末４Ｄとが情報管理サーバ２Ｄを介して行うアンケート登録受付処理のフローチャートである。図３２に示すアンケート受付登録処理は、図１２、図３０に示したアンケート登録受付処理と異なり、アンケート提供側が登録したアンケートを特定のユーザ属性に限定して実施したい場合に、当該アンケートを組み合わせる懸賞を提供する側に対して、アンケートをユーザ属性により限定して開示することの承諾可否を行うものである。なお、図３２に示すアンケート受付登録処理の前提として、図８に示す懸賞商品情報登録受付処理がなされ、情報管理サーバ２Ｄの懸賞商品情報ＤＢ１８Ｄには、組み合わせ可能な懸賞情報が予め格納されているものとする。また、以下の処理は、図３０に示すステップＳ１１５からステップＳ１２２までの処理が既に情報管理サーバ２Ｄとアンケート提供側端末４Ｄとの間で行われているものとする。
【０２２６】
ＳＴＡＲＴ：情報管理サーバ２Ｄの制御部７Ｄは、アンケート提供側端末４Ｄからアンケートに組み合わせる特定の懸賞情報を選択する旨の情報が送信されてくる（図３０のステップＳ１２３の処理が相当）と、以下の処理を開始する。
【０２２７】
ステップＳ１３５：情報管理サーバ２Ｄの制御部７Ｄは、登録するアンケートについて、ユーザの属性情報により限定して開示するか否かの限定開示確認をするための限定開示確認画面を表示させる処理を行う。
【０２２８】
ステップＳ１３６：アンケート提供側端末４Ｄの制御部４０は、ステップＳ１３５の表示処理に基づいてディスプレイに限定開示確認画面を表示する。
【０２２９】
ステップＳ１３７：アンケート提供側端末４Ｄは、ステップＳ１３６で表示された限定開示確認画面から入力された情報を情報管理サーバ２Ｄに送信する。なお、ステップＳ１３７で送信された情報がユーザの属性情報により限定して開示することを希望しない場合には、通常のアンケート登録受付処理となるため、ここでの説明は省略する。
【０２３０】
ステップＳ１３８：情報管理サーバ２Ｄの制御部７Ｄは、ステップＳ１３７で送信された情報を受信する。
【０２３１】
ステップＳ１３９：情報管理サーバ２Ｄの制御部７Ｄは、ステップＳ１３８で受信した情報に基づいて、当該アンケートに組み合わせたい特定の懸賞情報を提供するユーザの懸賞商品情報提供側端末３Ｄへ限定開示許諾確認画面を表示させる処理を行う。
【０２３２】
ステップＳ１４０：懸賞商品情報提供側端末３Ｄの制御部３０は、ステップＳ１３９の表示処理に基づいて限定開示許諾確認画面を表示する。
【０２３３】
ステップＳ１４１：懸賞商品情報提供側端末３Ｄの制御部３０は、ステップＳ１４０で表示された限定開示許諾確認画面から入力された限定開示許諾回答情報を情報管理サーバ２Ｄへ送信する。
【０２３４】
ステップＳ１４２：情報管理サーバ２Ｄの制御部７Ｄは、ステップＳ１４１で送信された限定開示許諾回答情報を受信する。
【０２３５】
ステップＳ１４３：情報管理サーバ２Ｄの制御部７Ｄは、ステップＳ１４２で受信した限定開示許諾回答情報をアンケート提供側端末４Ｄへ送信する。なお、このステップＳ１４３の処理では、回答情報を含む画面をアンケート提供側端末４Ｄのディスプレイに表示させる処理を行っている。
【０２３６】
ステップＳ１４４：アンケート提供側端末４Ｄの制御部４０Ｄは、ステップＳ１４３で送信された限定開示許諾回答情報を受信する。すなわち、ステップＳ１４３の表示処理に基づいて限定開示許諾回答情報確認画面が表示される。
【０２３７】
ステップＳ１４５：アンケート提供側端末４Ｄの制御部４０Ｄは、ステップＳ１４４で受信した限定許諾回答情報から限定して開示することが許諾されているか否かを判定する。許諾されている場合（ステップＳ１４５でＹＥＳ）には、ステップＳ１４６の処理へ移行する。一方、許諾されなかった場合（ステップＳ１４５でＮＯ）には、他の懸賞情報を選択して、本処理のＳＴＡＲＴに戻る。たとえば、ステップＳ１４４の処理で表示された確認画面には、許諾するボタンと許諾しないボタンが含まれており、これらのボタンを押下することにより生成される入力情報から、ステップＳ１４５の判定を行うことができる。
【０２３８】
ステップＳ１４６：アンケート提供側端末４Ｄの制御部４０Ｄは、当該許諾の旨を確認した許諾確認通知を情報管理サーバ２Ｄへ送信する。
【０２３９】
ステップＳ１４７：情報管理サーバ２Ｄの制御部７Ｄは、許諾確認通知を受信し、処理を終了する（ＥＮＤ）。なお、本処理と共にアンケート提供側端末４Ｄの確認結果を再び懸賞商品情報提供側端末３Ｄへ通知してもよい。
【０２４０】
このような処理とすることで、第１実施形態および第３実施形態の奏する効果に加えて、アンケート提供側がアンケートをユーザ属性により限定して開示したい場合に、当該アンケートと組み合わせる予定の懸賞提供側の意向を確認することができる。言い換えれば、懸賞提供側は、アンケート提供側がアンケート実施対象を制限する場合には予め確認を求められるため、勝手に宣伝広告範囲を狭められることがない。また、この情報管理システム１Ｄでは、アンケート提供側と懸賞情報提供側がお互いに企業情報のやり取りや交渉を行わなくても、アンケート実施対象範囲および懸賞の応募範囲について調整することができる。
【実施例５】
【０２４１】
５．情報管理システム１Ｅの全体構成の概要
続いて、本発明の第５実施形態に係る情報管理システム１Ｅについて説明する。本発明の第５実施形態に係る情報管理システム１Ｅは、第１実施形態に係る情報管理システム１Ａと異なり、懸賞提供側が特定のユーザ属性に対してのみ提供したい場合に、組み合わされたアンケートを提供する企業へユーザ属性を限定することについて承諾を得るものである。
【０２４２】
情報管理システム１Ｅは、情報管理サーバ２Ｅ、懸賞商品情報提供側端末３Ｅ、アンケート提供側端末４Ｅ、懸賞応募者側端末５Ｅを主要な構成要素とし、それぞれがネットワーク６Ｅを介して接続されている。なお、第５実施形態に係る情報管理システム１Ｅの情報管理サーバ２Ｅは、制御部７Ｅ、ユーザ情報登録部８Ｅ、ユーザ認証部９Ｅ、懸賞情報登録受付部１０Ｅ、アンケート情報登録受付部１１Ｅ、応募用アンケート決定部１２Ｅ、懸賞応募受付部１３Ｅ、懸賞抽選部１４Ｅ、通信制御部１５Ｅ、記憶部１６Ｅ、ユーザ情報ＤＢ１７Ｅ、懸賞商品情報ＤＢ１８Ｅ、アンケート情報ＤＢ１９Ｅ、アプリケーションプログラム群２０Ｅ、ＯＳ２１Ｅ、入力部２２Ｅ、出力部２３Ｅとを備えているＷｅｂベースのアプリケーションサーバとして構築することができる。なお、ここで、制御部７Ｅは、懸賞商品情報登録受付部１０Ｅで登録を行う際に、懸賞商品の提供情報と組み合わせ可能なアンケート情報を表示させると共に、表示させたアンケート情報の中から特定のアンケート情報を選択させる懸賞応募用アンケート選択部、懸賞商品情報登録受付部１０Ｅで受け付けた懸賞の応募対象となるユーザが制限される場合に、懸賞応募用アンケート選択部で選択されたアンケートを登録したユーザに対して当該懸賞の提供情報と組み合わせる旨の承諾を求める承諾部としても機能する。なお、ユーザ情報登録部８Ｅ〜出力部２３Ｅは、第1実施形態の情報管理サーバ２Ａのユーザ情報登録部８Ａ〜出力部２３Ａと同一であるため、説明を省略する。
【０２４３】
また、情報管理システム１Ｅの懸賞商品情報提供側端末３Ｅ、アンケート提供側端末４Ｅ、懸賞応募者側端末５Ｅの各構成についても、第１実施形態に係る情報管理システム１Ａの懸賞商品情報提供側端末３Ｅ、アンケート提供側端末４Ｅ、懸賞応募者側端末５Ｅの各構成と同一であるため図示および機能の説明を省略する。なお、以下の説明では便宜上、懸賞商品情報提供側端末３Ｅの構成は、制御部３０Ｅ、通信制御部３１Ｅ、記憶部３２Ｅ、入力部３４Ｅ、出力部３５Ｅとし、アンケート提供側端末４Ｅの構成は、制御部４０Ｅ、通信制御部４１Ｅ、記憶部４２Ｅ、入力部４４Ｅ、出力部４５Ｅとし、懸賞応募側端末５Ｅの構成は、制御部５０Ｅ、通信制御部５１Ｅ、記憶部５２Ｅ、入力部５４Ｅ、出力部５５Ｅとして説明する。
【０２４４】
５−１．懸賞商品情報登録受付処理
図３３は、本発明の第５実施形態に係る懸賞商品情報提供側端末３Ｅとアンケート提供側端末４Ｅとが情報管理サーバ２Ｅを介して行う懸賞商品情報登録受付処理のフローチャートである。なお、図３３に示す懸賞商品情報登録受付処理の前提として、図１２に示すアンケート情報登録受付処理がなされ、情報管理サーバ２Ｄのアンケート情報ＤＢ１９Ｅには、組み合わせ可能なアンケート情報が予め格納されているものとする。また、以下の処理は、図２８に示すステップＳ８０からステップＳ８７までの処理が既に情報管理サーバ２Ｅと懸賞商品情報提供側端末３Ｅとの間で行われているものとする。
【０２４５】
ＳＴＡＲＴ：情報管理サーバ２Ｅの制御部７Ｅは、懸賞商品情報提供側端末３Ｅから懸賞に組み合わせる特定のアンケート情報を選択する旨の情報が送信されてくる（図２８のステップＳ８８の処理が相当）と、以下の処理を開始する。
【０２４６】
ステップＳ１５０：情報管理サーバ２Ｅの制御部７Ｅは、選択する懸賞情報について、ユーザの属性情報により限定して応募するか否かの限定応募確認をするための限定応募確認画面を表示させる処理を行う。
【０２４７】
ステップＳ１５１：懸賞商品情報提供側端末３Ｅの制御部３０Ｅは、ステップＳ１５０の表示処理に基づいて限定応募確認画面を表示する。
【０２４８】
ステップＳ１５２：懸賞商品情報提供側端末３Ｅの制御部３０Ｅは、ステップＳ１５１で表示される限定応募確認画面から入力された情報を情報管理サーバ２Ｅに送信する。なお、ステップＳ１５２で送信された情報がユーザの属性情報により限定して応募することを希望しない場合には、通常の懸賞商品情報登録受付処理となるため、ここでの説明は省略する。
【０２４９】
ステップＳ１５３：情報管理サーバ２Ｅの制御部７Ｅは、ステップＳ１５２で送信された情報を受信する。
【０２５０】
ステップＳ１５４：情報管理サーバ２Ｅの制御部７Ｅは、ステップＳ１５３で受信した情報に基づいて、当該懸賞情報と組み合わせたい特定のアンケート情報を提供するユーザのアンケート提供側端末４Ｅへ限定応募許諾要求確認画面を表示させる処理を行う。
【０２５１】
ステップＳ１５５：アンケート提供側端末４Ｅの制御部４０Ｅは、ステップＳ１５４の表示処理に基づいて限定応募許諾要求確認画面を表示する。
【０２５２】
ステップＳ１５６：アンケート提供側端末４Ｅの制御部４０Ｅは、ステップＳ１５５で表示された限定応募許諾確認画面から入力された回答情報を情報管理サーバ２Ｅへ送信する。
【０２５３】
ステップＳ１５７：情報管理サーバ２Ｅの制御部７Ｅは、ステップＳ１５６で送信された回答情報を受信する。
【０２５４】
ステップＳ１５８：情報管理サーバ２Ｅの制御部７Ｅは、ステップＳ１５７で送信された回答情報を懸賞商品情報提供側端末３Ｅへ送信する。なお、
に基づいて懸賞商品情報提供側端末３Ｅのディスプレイに回答情報確認画面を表示させる処理を行う。
【０２５５】
ステップＳ１５９：懸賞商品情報提供側端末３Ｅの制御部３０Ｅは、ステップＳ１５８の表示処理に基づいて回答情報確認画面を表示する。
【０２５６】
ステップＳ１６０：懸賞商品情報提供側端末３Ｅの制御部３０Ｅは、ステップＳ１５９で表示された回答情報確認画面から入力された情報に基づいて、限定して応募することが許諾されているか否かを判定する。許諾されている場合（ステップＳ１６０でＹＥＳ）には、ステップＳ１６１の処理へ移行する。一方、許諾されなかった場合（ステップＳ１６０でＮＯ）には、他のアンケート情報を選択して、本処理のＳＴＡＲＴに戻る。たとえば、ステップＳ１５９の処理で表示された回答情報確認画面には、許諾するボタンと許諾しないボタンが含まれており、これらのボタンを押下することにより生成される入力情報から、ステップＳ１６０の判定を行うことができる。
【０２５７】
ステップＳ１６１：懸賞商品情報提供側端末３Ｅの制御部３０Ｅは、当該許諾の旨を確認した許諾確認通知を情報管理サーバ２Ｅへ送信する。
【０２５８】
ステップＳ１６２：情報管理サーバ２Ｅの制御部７Ｅは、ステップＳ１６１で送信された許諾確認通知を受信し、処理を終了する（ＥＮＤ）。なお、本処理と共に懸賞商品情報提供側端末３Ｅの確認結果を再びアンケート提供側端末４Ｅへ通知してもよい。
【０２５９】
このような処理とすることで、第１実施形態および第２実施形態の奏する効果に加えて、懸賞情報提供側が懸賞をユーザ属性により限定して応募させたい場合に、当該懸賞と組み合わせる予定のアンケート提供側の意向を確認することができる。言い換えれば、アンケート提供側は、懸賞を提供する側が応募対象を限定すると、アンケート実施対象を制限することになるため、その場合には予め確認を求めるようにすることで、勝手にアンケート実施対象の範囲を狭められることがない。また、この情報管理システム１Ｅでは、アンケート提供側と懸賞情報提供側がお互いに企業情報のやり取りや交渉を行わなくても、懸賞の応募およびアンケート実施対象範囲について調整することができる。
【実施例６】
【０２６０】
６．情報管理システム１Ｆの全体構成の概要
続いて、本発明の第６実施形態に係る情報管理システム１Ｆについて説明する。本発明の第６実施形態に係る情報管理システム１Ｆは、第１実施形態に係る情報管理システム１Ａと異なり、懸賞とアンケートを登録時のそれぞれの指定条件に基づいて、情報管理サーバ２Ｆ内でマッチング処理を行うものである。
【０２６１】
情報管理システム１Ｆは、情報管理サーバ２Ｆ、懸賞商品情報提供側端末３Ｆ、アンケート提供側端末４Ｆ、懸賞応募者側端末５Ｆを主要な構成要素とし、それぞれがネットワーク６Ｆを介して接続されている。なお、第６実施形態に係る情報管理システム１Ｆの情報管理サーバ２Ｆは、制御部７Ｆ、ユーザ情報登録部８Ｆ、ユーザ認証部９Ｆ、懸賞情報登録受付部１０Ｆ、アンケート情報登録受付部１１Ｆ、応募用アンケート決定部１２Ｆ、懸賞応募受付部１３Ｆ、懸賞抽選部１４Ｆ、通信制御部１５Ｆ、記憶部１６Ｆ、ユーザ情報ＤＢ１７Ｆ、懸賞商品情報ＤＢ１８Ｆ、アンケート情報ＤＢ１９Ｆ、アプリケーションプログラム群２０Ｆ、ＯＳ２１Ｆ、入力部２２Ｆ、出力部２３Ｆとを備えているＷｅｂベースのアプリケーションサーバとして構築することができる。なお、ここで、制御部７Ｆは、アンケート情報登録受付部１１Ｆで受け付けたアンケートおよび懸賞商品情報登録受付部１０Ｆで受け付けた懸賞商品の提供情報を、所定の組み合わせ条件に基づいて組み合わせる仮組み合わせ部、仮組み合わせ部により組み合わされたアンケートを提供したアンケート提供ユーザおよび懸賞商品の提供情報を提供した懸賞商品提供ユーザに対して、当該組み合わせの可否を問い合わせる組み合わせ可否判定部、アンケート提供ユーザおよび上記懸賞商品提供ユーザから当該組み合わせを了承する旨の通知を受信した場合に、当該組み合わせを確定させる組み合わせ確定部、懸賞応募受付部１３Ｆで応募する際に答えたアンケート内容および／または当該アンケートに回答したユーザ情報を、アンケートを提供したアンケート提供ユーザへ送信するアンケート回答情報送信部、懸賞応募受付部１３Ｆで応募したユーザの属性情報の全部または一部を、懸賞商品情報を登録した懸賞商品情報登録ユーザへ送信する懸賞応募情報送信部、としても機能する。なお、ユーザ情報登録部８Ｆ〜出力部２３Ｆは、第1実施形態の情報管理サーバ２Ａのユーザ情報登録部８Ａ〜出力部２３Ａと同一であるため、説明を省略する。
【０２６２】
また、情報管理システム１Ｆの懸賞商品情報提供側端末３Ｆ、アンケート提供側端末４Ｆ、懸賞応募者側端末５Ｆの各構成についても、第１実施形態に係る情報管理システム１Ａの懸賞商品情報提供側端末３Ｆ、アンケート提供側端末４Ｆ、懸賞応募者側端末５Ｆの各構成と同一であるため図示および機能の説明を省略する。なお、以下の説明では便宜上、懸賞商品情報提供側端末３Ｆの構成は、制御部３０Ｆ、通信制御部３１Ｆ、記憶部３２Ｆ、入力部３４Ｆ、出力部３５Ｆとし、アンケート提供側端末４Ｆの構成は、制御部４０Ｆ、通信制御部４１Ｆ、記憶部４２Ｆ、入力部４４Ｆ、出力部４５Ｆとし、懸賞応募側端末５Ｆの構成は、制御部５０Ｆ、通信制御部５１Ｆ、記憶部５２Ｆ、入力部５４Ｆ、出力部５５Ｆとして説明する。
【０２６３】
６−１．登録受付処理、マッチング処理
図３４は、本発明の第６実施形態に係る情報管理サーバ２Ｆが行う登録受付処理、マッチング処理のフローチャートである。
【０２６４】
ＳＴＡＲＴ：情報管理サーバ２Ｆの制御部７Ｆは、懸賞商品情報提供側端末３Ｆから懸賞情報登録受付要求を受信すると以下の処理を開始する。なお、以下に説明するステップＳ１６５〜ステップＳ１６９までの処理とステップＳ１７０〜ステップＳ１７５までの処理は、順番が逆になってもよい。すなわち、ステップＳ１７０〜ステップＳ１７５までの処理を最初に行う場合には、アンケート提供側端末４Ｆからアンケート情報登録受付要求を受信するとステップＳ１６５〜ステップＳ１６９の処理を続いて行うことになる。
【０２６５】
ステップＳ１６５：情報管理サーバ２Ｆの制御部７Ｆは、懸賞商品情報提供側端末３Ｆから登録したい懸賞情報を取得するために、懸賞商品情報提供側端末３Ｆのディスプレイに懸賞情報登録受付画面を表示させる処理を行う。
【０２６６】
ステップＳ１６６：懸賞商品情報提供側端末３Ｆの制御部３０Ｆは、ステップＳ１６５の表示処理に基づいて、懸賞情報登録受付画面を表示する。図３５は、図３４のステップＳ１６６で表示される懸賞情報登録受付画面例である。図３５に示すように、応募対象としたいユーザの属性情報を入力する欄が設けられている。
【０２６７】
ステップＳ１６７：懸賞商品情報提供側端末３Ｆの制御部７Ｆは、ステップＳ１６６の懸賞情報登録受付画面から入力された懸賞情報を情報管理サーバ２Ｆへ送信する。
【０２６８】
ステップＳ１６８：情報管理サーバ２Ｆの制御部７Ｆは、ステップＳ１６７で送信された懸賞情報を受信する。
【０２６９】
ステップＳ１６９：情報管理サーバ２Ｆの制御部７Ｆは、ステップＳ１６８で受信した懸賞情報を懸賞商品情報ＤＢ１８Ｆに登録する。
【０２７０】
ステップＳ１７０：続いて、アンケート提供側端末４Ｆの制御部４０Ｆは、アンケート情報登録受付要求を情報管理サーバ２Ｆへ送信されるとステップＳ１７１の処理へ移行する。
【０２７１】
ステップＳ１７１：情報管理サーバ２Ｆの制御部７Ｆは、アンケート提供側端末４Ｆのディスプレイにアンケート情報登録受付画面を表示させる処理を行う。
【０２７２】
ステップＳ１７２：アンケート提供側端末４Ｆの制御部４０Ｆは、ステップＳ１７１の表示処理に基づいて、アンケート情報登録受付画面をディスプレイに表示する。図３６は、図３４のステップＳ１７２に示すアンケート情報登録受付画面例である。図３６に示すように、ユーザの属性情報を指定する欄が設けられている。このユーザの属性情報には、たとえば、２０代、３０代、４０代といった年齢層を指定するものや、性別を選択するものなどを指定することができる。なお、図３６では指定欄が1つのみ設けているが、複数設けられていてもよい。
【０２７３】
ステップＳ１７３：アンケート提供側端末４Ｆの制御部４０Ｆは、ステップＳ１７２で示されるアンケート情報登録受付画面から入力されたアンケート情報を情報管理サーバ２Ｆへ送信する。
【０２７４】
ステップＳ１７４：情報管理サーバ２Ｆの制御部７Ｆは、ステップＳ１７３で送信されたアンケート情報を受信する。
【０２７５】
ステップＳ１７５：情報管理サーバ２Ｆの制御部７Ｆは、ステップＳ１７４で受信したアンケート情報をアンケート情報ＤＢ１９Ｆに登録する。
【０２７６】
ステップＳ１７６：情報管理サーバ２Ｆの制御部７Ｆは、懸賞商品情報ＤＢ１８Ｆとアンケート情報ＤＢ１９Ｆを参照して、登録されている懸賞情報およびアンケート情報それぞれの組み合わせ条件が合致しているものを組み合わせる処理を行うと共に、当該組み合わせ結果通知画面を懸賞商品情報提供側端末３Ｆおよびアンケート提供側端末４Ｆに対して表示するレスポンス処理を行う。なお、組み合わせ結果を通知するその他の方法として、各ユーザが登録しているメールアドレスに送信して通知してもよい。なお、メールによる通知と共に、当該ユーザが情報管理システム１Ｆにログインした際に表示されるページに組み合わせ結果を表示するようにしてもよい。また、メールアドレスが登録されていない場合や到達しない場合には、メールを送信せずに、情報管理システム１Ｆにログインした際に表示されるページに組み合わせ結果を表示するようにしてもよい。
【０２７７】
ステップＳ１７７：懸賞商品情報提供側端末３Ｆの制御部３０Ｆおよびアンケート提供側端末４Ｆの制御部４０Ｆは、ステップＳ１７６のレスポンス処理に基づいて組み合わせ結果通知画面を表示する。
【０２７８】
ステップＳ１７８：懸賞商品情報提供側端末３Ｆの制御部３０Ｆおよびアンケート提供側端末４Ｆの制御部４０Ｆは、ステップＳ１７７で表示された、組み合わせ結果通知画面から入力された回答情報を情報管理サーバ２Ｆに送信する。
【０２７９】
ステップＳ１７９：情報管理サーバ２Ｆの制御部７Ｆは、ステップＳ１７８で送信された回答情報を受信する。
【０２８０】
ステップＳ１８０：情報管理サーバ２Ｆの制御部７Ｆは、ステップＳ１７９で受信した回答情報に基づいて双方から了解を得たか否かを判定する。双方から了解を得ることができた場合（ステップＳ１８０でＹＥＳ）には、処理を終了する（ＥＮＤ）。一方、双方から了解を得ることができなかった場合（ステップＳ１８０でＮＯ）には、非マッチング処理へ移行する。なお、非マッチング処理については、図３７を参照しながら説明する。
【０２８１】
図３７は、図３４のステップＳ１８０の判定処理で双方の了解が得られなかった場合に行う処理のフローチャートである。
【０２８２】
ＳＴＡＲＴ：情報管理サーバ２Ｆの制御部７Ｆは、図３４に示すステップＳ１８０の判定処理で双方の了解が得られなかった場合（ステップＳ１８０でＮＯ）に以下の処理を開始する。
【０２８３】
ステップＳ１８５：情報管理サーバ２Ｆの制御部７Ｆは、条件が合致しなかった懸賞情報の提供元のユーザおよびアンケート情報の提供元のユーザを抽出する。
【０２８４】
ステップＳ１８６：情報管理サーバ２Ｆの制御部７Ｆは、ステップＳ１８５で抽出されたユーザに対して、合致しなかった旨をそれぞれに通知すると共に、指定条件変更確認画面を表示させる処理を行う。
【０２８５】
ステップＳ１８７：懸賞商品情報提供側端末３Ｆの制御部３０Ｆおよびアンケート提供側端末４Ｆの制御部４０Ｆは、ステップＳ１８６で通知された情報を受信すると共に、指定条件変更確認画面を表示する。
【０２８６】
ステップＳ１８８：懸賞商品情報提供側端末３Ｆの制御部３０Ｆおよびアンケート提供側端末４Ｆの制御部４０Ｆは、ステップＳ１８７で示された指定条件変更確認画面から入力された情報を情報管理サーバ２Ｆへ送信する。
【０２８７】
ステップＳ１８９：情報管理サーバ２Ｆの制御部７Ｆは、ステップＳ１８８で送信されてきた情報を受信する。
【０２８８】
ステップＳ１９０：情報管理サーバ２Ｆの制御部７Ｆは、ステップＳ１８９で送信されてきた情報に基づいて、登録されていた指定条件が変更されているか否かを判定する。登録されていた指定条件が変更されている場合（ステップＳ１９０でＹＥＳ）には、ステップＳ１９１の処理へ移行する。一方、登録されていた指定条件が変更されていない場合（ステップＳ１９０でＮＯ）には、ステップＳ１９２の処理へ移行する。
【０２８９】
ステップＳ１９１：情報管理サーバ２Ｆの制御部７Ｆは、変更されている指定条件にて、図３４に示すステップＳ１７６の組み合わせ処理へ移行して、本処理を終了する（ＥＮＤ）。
【０２９０】
ステップＳ１９２：情報管理サーバ２Ｆの制御部７Ｆは、当初の指定条件にて、図３４に示すステップＳ１７６の組み合わせ処理へ移行して本処理を終了する（ＥＮＤ）。
【０２９１】
このような処理とすることで、懸賞情報提供側が特定のアンケートを選択することなく、懸賞情報を登録するのみで当該懸賞の応募条件と合致したアンケートと自動的に組み合わせることができる。また、アンケート提供側が特定の懸賞を選択することなく、アンケート情報を登録するのみで当該アンケートの実施条件と合致した懸賞と自動的に組み合わせることができる。
【０２９２】
７．他の実施例
以上、情報管理システム１Ａ〜１Ｆを本発明の実施形態例として説明したが、本発明は、これに限定されるものではなく、発明の要旨を逸脱しない範囲において種々の変形や変更が可能である。
【０２９３】
たとえば、第１実施形態に係る情報管理システム１Ａの変形例として、放送波を利用して懸賞情報を送信し、懸賞情報を受信した端末から放送波とは異なるＩＰ通信網により懸賞へ応募することができる情報管理システムを説明したが、他の第２〜第６実施形態においても同様の構成を採用してもよい。
【０２９４】
また、上述した第１〜第６実施形態に係る情報管理システム１Ａ〜１Ｆでは、懸賞として提供するものは実体のある製品や商品を例示したが、電子マネー、クーポン券、企業独自で定めているポイントなどを懸賞として登録してもよい。
【０２９５】
また、上述した第１〜第６実施形態に係る情報管理システム１Ａ〜１Ｆで説明した各部の機能すべてまたは一部をプログラムによって構成し、このプログラムを情報処理装置（コンピュータ）にインストールすることで実現してもよい。具体的には、コンピュータをとして機能させるためにプログラムとすることができる。なお、このプログラムを実行可能な状態で記録した媒体からコンピュータに直接インストールすることも可能であるが、ネットワーク経由で遠隔にあるコンピュータにインストールしてもよい。
【符号の説明】
【０２９６】
１Ａ〜１Ｆ  情報管理システム、２Ａ〜２Ｆ  情報管理サーバ（情報管理装置）、３Ａ〜３Ｆ  懸賞商品情報提供側端末、４Ａ〜４Ｆ  アンケート提供側端末、５Ａ〜５Ｆ  懸賞応募側端末、６Ａ〜６Ｆ  ネットワーク、７Ａ〜７Ｆ  制御部、８Ａ〜８Ｆ  ユーザ情報登録部、９Ａ〜９Ｆ  ユーザ認証部、１０Ａ〜１０Ｆ  懸賞情報受付部、１１Ａ〜１１Ｆ  アンケート情報登録受付部、１２Ａ〜１２Ｆ  応募用アンケート決定部、１３Ａ〜１３Ｆ  懸賞応募受付部、１４Ａ〜１４Ｆ  懸賞抽選部、１５Ａ〜１５Ｆ  通信制御部、１６Ａ〜１６Ｆ  記憶部、１７Ａ〜１７Ｆ  ユーザ情報ＤＢ、１８Ａ〜１８Ｆ  懸賞情報ＤＢ、１９Ａ〜１９Ｆ  アンケート情報ＤＢ、２０Ａ〜２０Ｆ  アプリケーションプログラム群、２１Ａ〜２１Ｆ  ＯＳ、２２Ａ〜２２Ｆ  入力部、２３Ａ〜２３Ｆ  出力部
【図１】
2010186454.tif 000003
【図２】
2010186454.tif 000004
【図３】
2010186454.tif 000005
【図４】
2010186454.tif 000006
【図５】
2010186454.tif 000007
【図６】
2010186454.tif 000008
【図７】
2010186454.tif 000009
【図８】
2010186454.tif 000010
【図９】
2010186454.tif 000011
【図１０】
2010186454.tif 000012
【図１１】
2010186454.tif 000013
【図１２】
2010186454.tif 000014
【図１３】
2010186454.tif 000015
【図１４】
2010186454.tif 000016
【図１５】
2010186454.tif 000017
【図１６】
2010186454.tif 000018
【図１７】
2010186454.tif 000019
【図１８】
2010186454.tif 000020
【図１９】
2010186454.tif 000021
【図２０】
2010186454.tif 000022
【図２１】
2010186454.tif 000023
【図２２】
2010186454.tif 000024
【図２３】
2010186454.tif 000025
【図２４】
2010186454.tif 000026
【図２５】
2010186454.tif 000027
【図２６】
2010186454.tif 000028
【図２７】
2010186454.tif 000029
【図２８】
2010186454.tif 000030
【図２９】
2010186454.tif 000031
【図３０】
2010186454.tif 000032
【図３１】
2010186454.tif 000033
【図３２】
2010186454.tif 000034
【図３３】
2010186454.tif 000035
【図３４】
2010186454.tif 000036
【図３５】
2010186454.tif 000037
【図３６】
2010186454.tif 000038
【図３７】
2010186454.tif 000039